(57)【要約】  無線通信システムにおける高解像度ＣＳＩ報告方法及びその装置。ユーザ機器（ＵＥ）を動作させる方法は、複数のｖ階層に係わるＮ個のベースを含む全体ベース集合において、複数のｖ階層間で共通したＮ’個のベースを含む中間ベース集合を選択する段階、及び選択された中間ベース集合において、複数のｖ階層のそれぞれの階層ｌにつき、Ｍｌ個のベースを含むベース部分集合を選択する段階を含む。該方法は、選択された中間ベース集合に含まれるＮ’個のベースのインデックス、及び選択されたベース部分集合内に含まれるＭｌ個のベースのインデックスを基地局（ＢＳ）に伝送する段階をさらに含む。Ｎ、Ｎ’及びＭｌは、正の整数であり、Ｎ’＜Ｎ、Ｍｌ＜Ｎ’、ｌ∈０,１,...,ｖ−１であり、ｖは、ランク値である。
2021530925.tif 000002
【特許請求の範囲】
【請求項１】
ユーザ機器（ＵＥ）であり、
複数のｖ階層に係わるＮ個のベースを含む全体ベース集合において、前記複数のｖ階層間で共通したＮ’個のベースを含む中間ベース集合を選択し、
前記選択された中間ベース集合において、前記複数のｖ階層のそれぞれの階層ｌにつき、Ｍｌ個のベースを含むベース部分集合を選択するように構成されたプロセッサと、
前記プロセッサと通信可能に連結され、前記選択された中間ベース集合に含まれる前記Ｎ’個のベースのインデックス、及び前記選択されたベース部分集合内に含まれるＭｌ個のベースのインデックスを基地局（ＢＳ）に伝送するように構成されるトランシーバと、を含み、
前記Ｎ、前記Ｎ’及び前記Ｍｌは、正の整数であり、Ｎ’＜Ｎ、Ｍｌ＜Ｎ’、ｌ∈０,１,...,ｖ−１であり、ｖは、ランク値である、ユーザ機器（ＵＥ）。
【請求項２】
前記プロセッサは、チャネル状態情報（ＣＳＩ）報告を決定するようにさらに構成され、
前記トランシーバは、前記ＣＳＩ報告を前記ＢＳに伝送するようにさらに構成され、
前記ＣＳＩ報告は、
前記ランク値ｖを示すランク指示子（ＲＩ）と、
前記選択された中間ベース集合に含まれる前記Ｎ’個のベースのインデックス、及び前記選択されたベース部分集合内に含まれるＭｌ個のベースのインデックスを示す前置コーディング行列指示子（ＰＭＩ）と、を含む、請求項１に記載のユーザ機器（ＵＥ）。
【請求項３】
前記プロセッサは、前記ＢＳから、前記トランシーバが受信する上位階層シグナリングに基づき、Ｎ’の値を決定するように構成される、請求項１に記載のユーザ機器（ＵＥ）。
【請求項４】
Ｎ’の値は、所定設定によって固定される、請求項１に記載のユーザ機器（ＵＥ）。
【請求項５】
前記トランシーバは、Ｎ’の値に係わる情報を前記ＢＳに伝送するようにさらに構成される、請求項１に記載のユーザ機器（ＵＥ）。
【請求項６】
前記全体ベース集合は、離散フーリエ変換（ＤＦＴ）ベクトルの集合｛ｗｒ＋ｎＯ：ｎ∈｛０,１,...,(Ｎ−１)｝｝であり、
前記Ｏは、前記ＤＦＴベクトルの集合に係わるオーバーサンプリングファクタであり、ｒ∈｛０,１,..,Ｏ−１｝は、前記ＤＦＴベクトルの集合内第１ＤＦＴベクトルのインデックスであり、
【数１】
2021530925.tif 000221
は、１つのＤＦＴベクトルである、請求項１に記載のユーザ機器（ＵＥ）。
【請求項７】
前記ベース部分集合それぞれに係わるＭｌの値は、前記ＢＳから受信された設定情報に基づいて決定される、請求項１に記載のユーザ機器（ＵＥ）。
【請求項８】
基地局（ＢＳ）であり、
ユーザ機器（ＵＥ）から、（ｉ）中間ベース集合に含まれたＮ’個のベースのインデックス、及び（ｉｉ）複数のｖ階層のそれぞれの階層ｌにつき、ベース部分集合に含まれたＭｌ個のベースのインデックスを受信するように構成されたトランシーバと、
前記トランシーバと通信可能に連結され、前記受信された前記中間ベース集合に含まれたＮ’個のベースのインデックス、及び前記受信された前記ベース部分集合に含まれたＭｌ個のベースのインデックスに基づき、前記複数のｖ階層のそれぞれの階層ｌに係わるＭｌ個のベースを決定するように構成されたプロセッサと、を含み、
前記中間ベース集合内前記Ｎ’個のベースは、前記複数のｖ階層間で共通したものであり、Ｎ個のベースを含む全体ベース集合から選択され、
前記複数のｖ階層のそれぞれの階層ｌに係わるベース部分集合内Ｍｌ個のベースは、前記中間ベース集合から選択され、
前記Ｎ、前記Ｎ’及び前記Ｍｌは、正の整数であり、Ｎ’＜Ｎ、Ｍｌ＜Ｎ’、ｌ∈０,１,...,ｖ−１であり、ｖは、ランク値である基地局（ＢＳ）。
【請求項９】
前記トランシーバは、前記ユーザ機器（ＵＥ）からチャネル状態情報（ＣＳＩ）報告を受信するようにさらに構成され、
前記ＣＳＩ報告は、
前記ランク値ｖを示すランク指示子（ＲＩ）と、
前記選択された中間ベース集合に含まれる前記Ｎ’個のベースのインデックス、及び前記選択されたベース部分集合内に含まれる／個のベースのインデックスを示す前置コーディング行列指示子（ＰＭＩ）と、を含む、請求項８に記載の基地局（ＢＳ）。
【請求項１０】
前記トランシーバは、Ｎ’の値を示す上位階層シグナリングをユーザ機器（ＵＥ）に伝送するように構成される、請求項８に記載の基地局（ＢＳ）。
【請求項１１】
前記トランシーバは、前記ユーザ機器（ＵＥ）からＮ’の値に係わる情報を受信するようにさらに構成される、請求項８に記載の基地局（ＢＳ）。
【請求項１２】
前記全体ベース集合は、離散フーリエ変換（ＤＦＴ）ベクトルの集合｛ｗｒ＋ｎＯ：ｎ∈｛０,１,...,(Ｎ−１)｝｝であり、
前記Ｏは、前記ＤＦＴベクトルの集合に係わるオーバーサンプリングファクタであり、ｒ∈｛０,１,..,Ｏ−１｝は、前記ＤＦＴベクトルの集合内第１ＤＦＴベクトルのインデックスであり、
【数２】
2021530925.tif 000222
は、１つのＤＦＴベクトルである、請求項８に記載の基地局（ＢＳ）。
【請求項１３】
前記ベース部分集合それぞれに係わるＭｌの値は、前記トランシーバにより、前記ユーザ機器（ＵＥ）に伝送される設定情報内に指示される、請求項８に記載の基地局（ＢＳ）。
【請求項１４】
ユーザ機器（ＵＥ）を動作させる方法であり、
複数のｖ階層に係わるＮ個のベースを含む全体ベース集合において、前記複数のｖ階層間で共通したＮ’個のベースを含む中間ベース集合を選択する段階と、
前記選択された中間ベース集合において、前記複数のｖ階層のそれぞれの階層ｌにつき、Ｍｌ個のベースを含むベース部分集合を選択する段階と、
前記選択された中間ベース集合に含まれるＮ’個のベースのインデックス、及び前記選択されたベース部分集合内に含まれるＭｌ個のベースのインデックスを基地局（ＢＳ）に伝送する段階と、を含み、
前記Ｎ、前記Ｎ’及び前記Ｍｌは、正の整数であり、Ｎ’＜Ｎ、Ｍｌ＜Ｎ’、ｌ∈０,１,...,ｖ−１であり、ｖは、ランク値である、方法。
【請求項１５】
基地局（ＢＳ）を動作させる方法であり、
ユーザ機器（ＵＥ）から、（ｉ）中間ベース集合に含まれたＮ’個のベースのインデックス、及び（ｉｉ）複数のｖ階層のそれぞれの階層につき、ベース部分集合に含まれたＭｌ個のベースのインデックスを受信する段階と、
前記受信された前記中間ベース集合に含まれたＮ’個のベースのインデックス、及び前記受信された前記ベース部分集合に含まれたＭｌ個のベースのインデックスに基づき、前記複数のｖ階層のそれぞれの階層に係わるＭｌ個のベースを決定する段階と、を含み、
前記中間ベース集合内前記Ｎ’個のベースは、前記複数のｖ階層間で共通したものであり、Ｎ個のベースを含む全体ベース集合から選択され、
前記複数のｖ階層のそれぞれの階層ｌに係わるベース部分集合内Ｍｌ個のベースは、前記中間ベース集合から選択され、
前記Ｎ、前記Ｎ’及び前記Ｍｌは、正の整数であり、Ｎ’＜Ｎ、Ｍｌ＜Ｎ’、ｌ∈０,１,...,ｖ−１であり、ｖは、ランク値である、方法。
【発明の詳細な説明】
【技術分野】
【０００１】
本発明は、一般的に、さらに発展した通信システムにおける高解像度ＣＳＩ報告に関する。
【背景技術】
【０００２】
第４世代（４Ｇ）通信システムの配備後、増大している無線データトラフィックへの需要を満足させるために、向上された第５世代（５Ｇ）通信システムまたは予備５Ｇ通信システムを開発しようとする努力がなされてきた。５Ｇ通信システムまたは予備５Ｇ通信システムは、「ビヨンド４Ｇ（４Ｇ以後）ネットワーク」または「ポストＬＴＥ（long term evolution）システム」とも呼ばれる。５Ｇ通信システムは、さらに高いデータレートを達成するために、さらに高い周波数（ｍｍWave）帯域、例えば、６０Ｇｈｚ帯域で具現されるものと見なされる。無線波の電波損失を減らし、伝送距離を長くするために、ビームフォーミング、大規模ＭＩＭＯ（multiple-input multiple-output）、全次元（full dimensional）ＭＩＭＯ（ＦＤ−ＭＩＭＯ）、アレイアンテナ、アナログビームフォーミング、大規模スケールのアンテナ技法が、５Ｇ通信システムと係わって論議されている。また、５Ｇ通信システムにおいては、アドバンスト小型セル、クラウド無線アクセスネットワーク（ＲＡＮ）、超密集ネットワーク、Ｄ２Ｄ（device-to-device）通信、無線バックホール（backhaul）、移動ネットワーク、協力通信、ＣｏＭＰ（coordinated multi-points）、受信端干渉除去などに基づき、システムネットワーク改善のための開発が進行中である。５Ｇシステムにおいて、アドバンストコーディング変調（ＡＣＭ）として、ハイブリッドＦＳＫ（frequency shift keying）、ＦＱＡＭ（Feher’s quadrature amplitu demodulation）変調及びスライディングウィンドウ重畳コーディング（ＳＷＳＣ）、並びにアドバンストアクセス技術として、フィルタバンクマルチキャリア（ＦＢＭＣ）、非直交多重化アクセス（ＮＯＭＡ）及びＳＣＭＡ（sparse code multiple access）が開発されてきた。
【０００３】
人々が情報を生成して消費する人中心の接続ネットワークであるインターネットは、現在、事物のような分散された個体が人の介入なしに情報を交換して処理する事物インターネット（ＩｏＴ）に進化しているところである。クラウドサーバを介するＩｏＴ技術と、ビッグデータ処理技術との結合である万物インターネット（ＩｏＥ）が登場した。「センシング技術」、「有線／無線通信及びネットワークインフラ構造」、「サービスインターフェース技術」及び「保安技術」のような技術要素が、ＩｏＴ具現のために要求されており、Ｍ２Ｍ（machine-to-machine）通信、ＭＴＣ（machine type communication）などが、最近になって研究中である。そのようなＩｏＴ環境は、連結された事物間で生成されたデータを収集して分析することにより、人間生活に新たな価値を新たに創出する知能型インターネット技術サービスを提供することができる。ＩｏＴは、既存情報技術（ＩＴ）と、多様な産業的応用例との融合及び結合を介し、スマートホーム、スマートビルディング、スマートシティ、スマートカーまたはコネクテッドカー、スマートグリッド、ヘルスケア、スマート家電及び先進医療サービスを含む多様な分野にも適用される。
【０００４】
それと共に、５Ｇ通信システムをＩｏＴネットワークに適用するための多様な試みがなされてきた。例えば、センサネットワーク、ＭＴＣ及びＭ２Ｍ通信のような技術が、ビームフォーミング、ＭＩＭＯ及びアレイアンテナによっても具現される。前述のビッグデータ処理技術としてのクラウドＲＡＮの適用も、５Ｇ技術とＩｏＴとの融合の一例とも見なされる。
【０００５】
前述のように、無線通信システムの発展により、多様なサービスが提供され、それにより、そのようなサービスを容易に提供する方法が要求される。
【０００６】
効率的であって効果的な無線通信のためには、さらに発展した無線通信システムにおいて、ユーザ機器（ＵＥ）とｇNode Ｂ（ｇＮＢ）とのチャネルを把握し、正しく推定するのが重要である。チャネル状況を正しく推定するために、ＵＥは、チャネル測定、例えば、ＣＳＩに係わる情報をｇＮＢに報告（例えば、フィードバック）することができる。チャネルに係わるそのような情報をもって、ｇＮＢは、適切な通信パラメータを選択し、ＵＥとの無線データ通信を効率的であって効果的に遂行することができる。
【発明の概要】
【発明が解決しようとする課題】
【０００７】
効率的であって効果的な無線通信のためには、さらに発展した無線通信システムにおいて、ユーザ機器（ＵＥ）とｇNode Ｂ（ｇＮＢ）とのチャネルを把握して正しく推定することが重要である。
【課題を解決するための手段】
【０００８】
無線通信システムにおける高解像度チャネル状態情報（ＣＳＩ）報告方法及びその装置。ユーザ機器（ＵＥ）の動作方法は、複数のｖ階層に係わるＮ個のベースを含む全体ベース集合において、前記複数のｖ階層間において、共通したＮ’個のベースを含む中間（intermediate）ベース集合を選択する段階、及び前記選択された中間ベース集合において、前記複数のｖ階層のそれぞれの階層ｌにつき、Ｍｌ個のベースを含むベース部分集合を選択する段階を含む。前記方法は、前記選択された中間ベース集合に含まれるＮ’個のベースのインデックス、及び前記選択されたベース部分集合内に含まれるＭｌ個のベースのインデックスを基地局（ＢＳ）に伝送する段階をさらに含む。Ｎ、Ｎ’及びＭｌは、正の整数であり、Ｎ’＜Ｎ；Ｍｌ＜Ｎ’；ｌ∈０,１,...,ｖ−１であり、ｖは、ランク（rank）値である。
【図面の簡単な説明】
【０００９】
本開示及びその利点へのさらに完全な理解のために、以下において、類似参照符号が類似構成要素を示す添付された図面と共になされた以下の説明を参照する。
【００１０】
【図１】本開示の実施形態による例示的無線ネットワークを図示する図である。
【図２】本開示の実施形態による例示的ｇＮＢを図示する図である。
【図３】本開示の実施形態による例示的ＵＥを図示する図である。
【図４Ａ】本開示の実施形態による直交周波数分割多重化アクセス伝送経路の上位レベル図面を図示する図である。
【図４Ｂ】本開示の実施形態による直交周波数分割多重化アクセス伝送経路の上位レベル図面を図示する図である。
【図５】本開示の実施形態によるサブフレーム内ＰＤＳＣＨに係わる送信器ブロック図を図示する図である。
【図６】本開示の実施形態によるサブフレーム内ＰＤＳＣＨに係わる受信器ブロック図を図示する図である。
【図７】本開示の実施形態によるサブフレーム内ＰＵＳＣＨに係わる送信器ブロック図を図示する図である。
【図８】本開示の実施形態によるサブフレーム内ＰＵＳＣＨに係わる受信器ブロック図を図示する図である。
【図９】本開示の実施形態による例示的な２スライス多重化を図示する図である。
【図１０】本開示の実施形態による例示的なアンテナブロックを図示する図である。
【図１１】本開示の実施形態による例示的なネットワーク構成を図示する図である。
【図１２】本開示の実施形態による例示的なアンテナポートレイアウトを図示する図である。
【図１３】本開示の実施形態による例示的なＤＦＴビームの３Ｄグリッドを図示する図である。
【図１４】本開示の実施形態による例示的な非均等ＳＤ／ＦＤベース部分集合選択を図示する図である。
【図１５】本開示の実施形態によるツーステップ（two−step）ベース選択に係わる図面を図示する図である。
【図１６】本開示の一実施形態により、ＵＥを動作させる方法フローチャートを図示する図である。
【発明を実施するための形態】
【００１１】
本開示の実施形態は、さらに発展した無線通信システムにおいて、高解像度ＣＳＩ報告が可能にする方法及び装置を提供する。
【００１２】
一実施形態において、ＵＥが提供される。該ＵＥは、プロセッサ、及び該プロセッサと通信可能に連結されたトランシーバを含む。該プロセッサは、複数のｖ階層に係わるＮ個のベースを含む全体ベース集合において、前記複数のｖ階層間で共通したＮ’個のベースを含む中間（intermediate）ベース集合を選択し、前記選択された中間ベース集合において、前記複数のｖ階層のそれぞれの階層ｌにつき、Ｍｌ個のベースを含むベース部分集合を選択するように構成される。該トランシーバは、前記選択された中間ベース集合に含まれるＮ’個のベースのインデックス、及び前記選択されたベース部分集合内に含まれるＭｌ個のベースのインデックスをＢＳに伝送するように構成される。Ｎ、Ｎ’及びＭｌは正の整数であり、Ｎ’＜Ｎ；Ｍｌ＜Ｎ’；ｌ∈０,１,...,ｖ−１であり、ｖは、ランク（rank）値である。
【００１３】
他の実施形態において、ＢＳが提供される。該ＢＳは、トランシーバ、及びトランシーバと通信可能に連結されたプロセッサを含む。該トランシーバは、ＵＥから、（ｉ）中間ベース集合に含まれたＮ’個のベースのインデックス、及び（ｉｉ）複数のｖ階層のそれぞれの階層ｌにつき、ベース部分集合に含まれたＭｌ個のベースのインデックスを受信するように構成される。該プロセッサは、前記受信された前記中間ベース集合に含まれたＮ’個のベースのインデックス、及び前記受信された前記ベース部分集合に含まれたＭｌ個のベースのインデックスに基づき、前記複数のｖ階層のそれぞれの階層ｌに係わるＭｌ個のベースを決定するように構成される。前記中間ベース集合内Ｎ’個のベースは、複数のｖ階層間で共通したものであり、Ｎ個のベースを含む全体ベース集合から選択される。複数のｖ階層のそれぞれの階層ｌに係わるベース部分集合内Ｍｌ個のベースは、前記中間ベース集合から選択される。Ｎ、Ｎ’及びＭｌは正の整数であり、Ｎ’＜Ｎ；Ｍｌ＜Ｎ’；ｌ∈０,１,...,ｖ−１であり、ｖは、ランク値である。
【００１４】
さらに他の実施形態において、ＵＥを動作させる方法が提供される。該方法は、複数のｖ階層に係わるＮ個のベースを含む全体ベース集合において、前記複数のｖ階層間で共通したＮ’個のベースを含む中間ベース集合を選択する段階と、前記選択された中間ベース集合において、前記複数のｖ階層のそれぞれの階層ｌにつき、Ｍｌ個のベースを含むベース部分集合を選択する段階と、を含む。前記方法は、前記選択された中間ベース集合に含まれるＮ’個のベースのインデックス、及び前記選択されたベース部分集合内に含まれるＭｌ個のベースのインデックスをＢＳに伝送する段階をさらに含む。Ｎ、Ｎ’及びＭｌは、正の整数であり、Ｎ’＜Ｎ；Ｍｌ＜Ｎ’；ｌ∈０,１,...,ｖ−１であり、ｖは、ランク値である。
【００１５】
以下の図面、詳細な説明、及び特許請求の範囲から、他の技術的特徴が当業者に自明になるであろう。
【００１６】
以下の内容に着手する前、本特許文書全体にわたって使用された所定の単語と語句との定義ついて説明することが望ましい。「連結（結合）する」と言う言葉とその派生語は、２以上の構成要素が、互いに物理的接触状態にあるか否かということ、それら間のある直接であったり間接であったりする通信を言う。「伝送する」、「受信する」そして「通信する」という用語だけではなく、その派生語は、直接であったり間接であったりする通信をいずれも含む。「含む」及び「具備する」という用語及びその派生語は、制限ない包含を意味する。「または」という言葉は、「及び／または」を意味する包括的な言葉である。「〜に係わる」及びその派生語は、含む、〜中に含まれる、〜と相互連結する、内包する、〜中に内包される、〜に／と連結する、〜に／と結合する、〜と通信することができる、〜と協力する、介在する、並べておく、〜に近似する、〜に束縛される、有する、〜の特性を有する、〜と関係を有するというような意味である。「コントローラ」という用語は、少なくとも一動作を制御するある装置、システムまたはその一部を意味する。そのようなコントローラは、ハードウェア、あるいはハードウェアとソフトウェア及び／またはファームウェアとの組み合わせによっても具現される。ある特定コントローラと係わる機能は、局地的であっても遠隔であっても、中央集中されたり分散されたりしうる。「少なくとも一つの〜」という言葉は、項目リストと共に使用されるとき、羅列された項目中の１以上の互いに異なる組み合わせが使用され、そのリスト内のただ一項目だけが必要とされうるということを意味する。例えば、「Ａ、Ｂ、及びＣのうち少なくとも一つ」は、次のような組み合わせのうちいずれか一つを含む：Ａ、Ｂ、Ｃ、Ａ及びＢ、Ａ及びＣ、Ｂ及びＣ、並びにＡとＢとＣ。
【００１７】
また、以下で記述される多様な機能は、１以上のコンピュータプログラムによって具現されたり支援されたりし、そのプログラムそれぞれは、コンピュータ可読プログラムコードで構成され、コンピュータ可読媒体で実施される。「アプリケーション」及び「プログラム」という用語は、１以上のコンピュータプログラム、ソフトウェア成分、命令語集合、手続き、関数、客体、クラス、インスタンス、関連データ、または適するコンピュータ可読プログラムコードの具現に適するそれらの一部を言う。「コンピュータ可読プログラムコード」という言葉は、ソースコード、客体コード及び実行コードを含む全タイプのコンピュータコードを含む。「コンピュータ可読媒体」という言葉は、ＲＯＭ（read only memory）、ＲＡＭ（random access memory）、ハードディスクドライブ、コンパクトディスク（ＣＤ）、デジタルビデオディスク（ＤＶＤ）、またはある他類型のメモリと共に、コンピュータによってアクセスされうる全ての類型の媒体を含む。「非一時的」コンピュータ可読媒体は、一時的な電気またはその他信号を伝送する有線リンク、無線リンク、光学リンク、またはその他通信リンクを排除する。非一時的コンピュータ可読媒体は、データが永久に保存されうる媒体、及び書き換え可能光学ディスクや削除可能メモリ装置のように、データが保存され、後で上書きされうる媒体を含む。
【００１８】
他の所定の単語及び語句に係わる定義が、本特許文書全体にわたって提供される。当業者は、ほとんどの場合ではなくとも、多くの場合、そのような定義が、そのように定義された単語及び語句の以前だけではなく、以後の使用にも適用されるということを知ることができるであろう。
【００１９】
以下で論議される図１ないし図１６、及び本特許文書の本開示の原理を記述するのに使用される多様な実施形態は、ただ一例であるのみ、いかようにも本開示の範囲を限定するものであると見なされるものではない。当業者は、本開示の原理が、ある適切に構成されたシステムや装置で具現されうるということを知ることができるであろう。
【００２０】
次のような文書と規格内容とが、本明細書に全体的に記述されているように、本開示中に参照形態として含まれる：３ＧＰＰ ＴＳ ３６．２１１ ｖ１５．６．０、「Ｅ−ＵＴＲＡ、Physical channels and modulation（物理的チャネル及び変調）；「３ＧＰＰ ＴＳ ３６．２１２ ｖ１５．６．０、「Ｅ−ＵＴＲＡ、Multiplexing and channel coding（多重化及びチャネルコーディング）；「３ＧＰＰ ＴＳ ３６．２１３ ｖ１５．６．０、「Ｅ−ＵＴＲＡ、Physical Layer Procedures（物理階層手続き）；「３ＧＰＰ ＴＳ ３６．３２１ ｖ１５．６．０、「Ｅ−ＵＴＲＡ、Medium Access Control（ＭＡＣ） protocol specification（ＭＡＣプロトコル仕様）；「３ＧＰＰ ＴＳ ３６．３３１ ｖ１５．６．０、「Ｅ−ＵＴＲＡ、Radio Resource Control（ＲＲＣ） Protocol Specification；（ＲＲＣプロトコル仕様）；「３ＧＰＰ ＴＲ ２２．８９１ ｖ１．２．０、「Study on New Services and Markets Technology Enablers（新たなサービス及び市場技術イネーブラに係わる研究）；「３ＧＰＰ ＴＳ ３８．２１２ ｖ１５．６．０、「Ｅ−ＵＴＲＡ、ＮＲ、Multiplexing and Channel coding（多重化及びチャネルコーディング）；そして３ＧＰＰ ＴＳ ３８．２１４ ｖ１５．６．０、「Ｅ−ＵＴＲＡ、ＮＲ、Physical layer procedures for data（データに係わる物理階層手続き）」。
【００２１】
本開示を実行するために考察された望ましい実施形態を含む多数の特定の実施形態と具現例とを例示することにより、以下の詳細説明から、本開示の様態、特徴及び利点を明確に知ることができる。本開示は、他の異なる実施形態を受容することもでき、そのさまざまな細部事項は、本開示の思想及び範囲から外れずに、さまざまに明らかな点においても変更される。それにより、図面と内容は、本質上、例示的なものと見なされなければならず、限定するものと見なされるものではない。本開示は、例として例示されたものであり、添付された図面形態に限られるものではない。
【００２２】
以下では、簡単にＦＤＤ及びＴＤＤの二者が、いずれもＤＬシグナリング及びＵＬシグナリングのいずれのためのデュプレックス方式であると見なされる。
【００２３】
例示的内容、及び以下の実施形態は、ＯＦＤＭ（orthogonal frequency division multiplexing）またはＯＦＤＭＡ（orthogonal frequency division multiple access）を仮定するが、本開示は、Ｆ−ＯＦＤＭ（filtered ＯＦＤＭ）のような他のＯＦＤＭ基盤伝送波形または多重化アクセス方式にも拡張される。
【００２４】
本開示は、互いに連繋されたり組み合わされたりして使用されるか、あるいは単独方式として動作することができるさまざまな構成要素を包括する。
【００２５】
４Ｇ通信システムの配備後に増大している無線データトラフィックへの需要を満足させるために、向上された５Ｇ通信システムまたは予備５Ｇ通信システムを開発しようとする努力がなされてきた。それにより、５Ｇ通信システムまたは予備５Ｇ通信システムを「ビヨンド４Ｇ（４Ｇ以後）ネットワーク」または「ポストＬＴＥシステム」とも称する。
【００２６】
該５Ｇ通信システムは、さらに高いデータレートを達成するために、さらに高い周波数（ｍｍWave）帯域、例えば、６０Ｇｈｚ帯域で具現されると見なされる。無線波の電波損失を減らし、伝送範囲を広げるために、ビームフォーミング、大規模ＭＩＭＯ（multiple-input multiple-output）、全次元（full dimensional）ＭＩＭＯ（ＦＤ−ＭＩＭＯ）、アレイアンテナ、アナログビームフォーミング、大規模スケールのアンテナ技法が５Ｇ通信システムとして論議されている。
【００２７】
また、該５Ｇ通信システムにおいては、アドバンスト小型セル、クラウド無線アクセスネットワーク（ＲＡＮ）、超密集ネットワーク、Ｄ２Ｄ（device-to-device）通信、無線バックホール（backhaul）通信、移動ネットワーク、協力通信、ＣｏＭＰ（coordinated multi-points）伝送及び受信、受信端干渉除去などに基づき、システムネットワーク改善のための開発が進行中である。
【００２８】
該５Ｇシステムにおいて、適応的変調及びコーディング（ＡＭＣ）技法として、ハイブリッド周波数シフトキーイング、直交振幅変調（ＦＱＡＭ）及びスライディングウィンドウ重畳コーディング（ＳＷＳＣ）、並びにアドバンストアクセス技術として、フィルタバンクマルチキャリア（ＦＢＭＣ）、非直交多重化アクセス（ＮＯＭＡ）及びＳＣＭＡ（sparse code multiple access）が開発されてきた。
【００２９】
以下の図１ないし図４Ｂは、無線通信システムにおいて、直交周波数分割多重化（ＯＦＤＭ）通信技法または直交周波数分割多重化アクセス（ＯＦＤＭＡ）通信技法の使用を介して具現される多様な実施形態を示す。図１ないし図３の内容は、他の実施形態が具現されうる方式につき、物理的であったり構造的であったりする限界を内包するようになっているものではない。本開示の他の実施形態は、適切に構成されたいかなる通信システムによっても具現される。
【００３０】
図１は、本開示の実施形態による例示的な無線ネットワークを図示する。図１に図示された無線ネットワークの実施形態は、ただ例示のためのものである。本開示の範囲から外れない無線ネットワーク１００の他の実施形態が使用されうる。
【００３１】
図１に図示されているように、該無線ネットワークは、ｇＮＢ １０１、ｇＮＢ １０２及びｇＮＢ １０３を含む。ｇＮＢ １０１は、ｇＮＢ １０２及びｇＮＢ １０３と通信する。ｇＮＢ １０１は、また、インターネット、私設インターネットプロトコル（ＩＰ）ネットワーク、または他のデータネットワークのような少なくとも１つのネットワーク１３０と通信する。
【００３２】
ｇＮＢ １０２は、ｇＮＢ １０２の適用領域１２０内にある第１複数のユーザ装置（ＵＥｓ）に、ネットワーク１３０に係わる無線広帯域アクセスを提供する。第１複数のＵＥは、小さい事業場（ＳＢ）中に位置することができるＵＥ １１１、企業体（Ｅ）内に位置することができるＵＥ １１２、ＷｉＦｉホットスポット（ＨＳ）内に位置することができるＵＥ １１３、第１居住地（Ｒ）内に位置することができるＵＥ １１４、第２居住地（Ｒ）内に位置することができるＵＥ １１５、及びセルフォン、無線ラップトップ、無線ＰＤＡのようなモバイル装置（Ｍ）でもあるＵＥ １１６を含む。ｇＮＢ １０３は、ｇＮＢ １０３のカバレージ領域１２５内にある第２複数のＵＥに、ネットワーク１３０に対する無線広帯域アクセスを提供する。第２複数のＵＥは、ＵＥ １１５及びＵＥ １１６を含む。一部実施形態において、ｇＮＢ １０１ないし１０３のうち１以上は、５Ｇ、ＬＴＥ、ＬＴＥ−Ａ、ＷｉＭＡＸ、ＷｉＦｉ、または他の無線通信技法を利用して互いに、そしてＵＥ １１１−１１６と通信することができる。
【００３３】
ネットワーク類型により、「基地局」または「ＢＳ」という用語は、送信ポイント（ＴＰ）、送受信ポイント（ＴＲＰ）、エンハンスド基地局（ｅNode ＢまたはｅＮＢ）、５Ｇ基地局（ｇＮＢ）、メクロセル、フェムトセル、ＷｉＦｉアクセスポイント（ＡＰ）、または他の無線可能装置のように、ネットワークへの無線アクセスを提供するように構成された任意の構成要素（または、構成要素の集合）を言うことができる。該基地局は、１以上の無線通信プロトコル、例えば、３ＧＰＰニューラジオインターフェース／アクセス（ＮＲ）、ＬＴＥ（long term evolution）、ＬＴＥアドバンスト（ＬＴＥ−Ａ）、高速パッケージアクセス（ＨＳＰＡ）、Ｗｉ−Ｆｉ ８０２．１１ａ／ｂ／ｇ／ｎ／ａｃなどにより、無線アクセスを提供することができる。便利さを図るために、遠隔端末に対する無線アクセスを提供するネットワークインフラ構成要素を称するために、「ＢＳ」及び「ＴＲＰ」という用語が、本特許文書内で使用される。また、ネットワーク類型により、「ユーザ機器」または「ＵＥ」とは、「移動局」、「加入者局」、「遠隔端末」、「無線端末」、「受信ポイント」または「ユーザ装置」のような任意の構成要素を称することができる。便利さのために、「ユーザ装置」及び「ＵＥ」という用語は、本特許文書において、該ＵＥが、（モバイル電話やスマートフォンのような）モバイル装置においても、（デスクトップコンピュータやベンディングマシンのように）一般的に固定装置として見なされたり、無線でＢＳにアクセスする遠隔無線装置を称したりするために使用される。
【００３４】
点線は、ただ例示と説明とを目的に、大体の円形に見えるカバレージ領域１２０及び１２５の大体の程度を示している。カバレージ領域１２０及び１２５のように、ｇＮＢと係わるカバレージ領域は、自然的であったり人為的であったりするな障害物と係わる無線環境内変動及びｇＮＢの構成により、不規則的形態を含む他の形態を有することができるということを明確に理解することができる。
【００３５】
以下においてさらに詳細に記述するように、ＵＥ１１１−１１６のうち１以上は、さらに発展した無線通信システムにおける効率的高解像度ＣＳＩ報告のための回路、プログラミング、またはその組み合わせを含む。所定実施形態において、ｇＮＢ １０１−１０３のうち１以上は、さらに発展した無線通信システムにおいて、空間・周波数圧縮に基づくＣＳＩ習得のための回路、プログラミング、またはその組み合わせを含む。
【００３６】
図１は、無線ネットワークの一例を図示しているが、図１について、多様な変形があり得る。例えば、該無線ネットワークは、ある適切な配備を介し、任意個のｇＮＢ、及び任意個のＵＥを含んでもよい。また、ｇＮＢ １０１は、任意個のＵＥと直接通信し、そのＵＥに、ネットワーク１３０における無線広帯域アクセスを提供することができる。同様に、それぞれのｇＮＢ １０２，１０３は、ネットワーク１３０と直接通信し、ＵＥにネットワーク１３０における直接無線広帯域アクセスを提供することができる。また、ｇＮＢ １０１、１０２及び／または１０３は、外部電話網や、他のタイプのデータネットワークのような他の、あるいは付加的な外部ネットワークへのアクセスを提供することができる。
【００３７】
図２は、本開示の実施形態による例示的なｇＮＢを図示する。図２に図示されたｇＮＢ １０２の実施形態は、例示的なものであるのみ、図１のｇＮＢ １０１及び１０３が同一であるか、あるいは類似した構成を有することもできる。しかし、該ｇＮＢは、広範囲な構成で示され、図２は、本開示の範囲を該ｇＮＢのある特定具現例に限定するものではない。
【００３８】
図２に図示されているように、ｇＮＢ １０２は、多重アンテナ２０５ａ−２０５ｎ、多重ＲＦトランシーバ２１０ａ−２１０ｎ、送信（ＴＸ）プロセッシング回路２１５及び受信（ＲＸ）プロセッシング回路２２０を含む。ｇＮＢ １０２は、またコントローラ／プロセッサ２２５、メモリ２３０、及びバックホールインターフェースやネットワークインターフェース２３５を含む。
【００３９】
ＲＦトランシーバ２１０ａ−２１０ｎは、アンテナ２０５ａ−２０５ｎから、ネットワーク１００内ＵＥによって伝送された信号と共に入るＲＦ信号を受信する。ＲＦトランシーバ２１０ａ−２１０ｎは、入るＲＦ信号を下向き変換し、ＩＦや基底帯域信号を生成する。該ＩＦまたは該基底帯域信号は、ＲＸプロセッシング回路２２０に送られ、ＲＸプロセッシング回路２２０は、基底帯域またはＩＦ信号をフィルタリング、デコーディング及び／または二進化することにより、処理された基底帯域信号を生成する。ＲＸプロセッシング回路２２０は、処理された基底帯域信号を追加処理するために、コントローラ／プロセッサ２２５に伝送する。
【００４０】
ＴＸプロセッシング回路２１５は、コントローラ／プロセッサ２２５から、アナログデータやデジタルデータ（音声データ、ウェブデータ、電子メールまたはインタラクティブビデオゲームデータなど）を受信する。ＴＸプロセッシング回路２１５は、出ていく基底帯域データを、エンコーディング、多重化及び／または二進化し、処理された基底帯域またはＩＦ信号を生成する。ＲＦトランシーバ２１０ａ−２１０ｎは、処理された出ていく基底帯域またはＩＦ信号をＴＸプロセッシング回路２１５から受信し、アンテナ２０５ａ−２０５ｎを介して伝送される基底帯域またはＩＦ信号をＲＦ信号に上向き変換する。
【００４１】
コントローラ／プロセッサ２２５は、ｇＮＢ １０２の全般的動作を制御する１以上のプロセッサ、または他の処理装置を含んでもよい。例えば、コントローラ／プロセッサ２２５は、周知の原理により、ＲＦトランシーバ２１０ａ−２１０ｎ、ＲＸプロセッシング回路２２０及びＴＸプロセッシング回路２１５により、フォワードチャネル信号の受信及びリバースチャネル信号の送信を制御することができる。コントローラ／プロセッサ２２５は、さらに進歩した無線通信器能のような追加機能も支援することができるであろう。
【００４２】
例えば、コントローラ／プロセッサ２２５は、さまざまなアンテナ２０５ａ−２０５ｎから出る信号を、所望方向に効果的に操向させるために、出ていく信号を互いに異なるように加重させるビームフォーミング動作または方向性ローティング動作を支援することができる。広範囲な他の機能のうちいずれか一つがコントローラ／プロセッサ２２５により、ｇＮＢ １０２内において支援されうるであろう。
【００４３】
コントローラ／プロセッサ２２５は、またＯＳのように、メモリ２３０に常駐するプログラム、及び他のプロセスを実行することもできる。コントローラ／プロセッサ２２５は、実行プロセスによって要求されるとき、メモリ２３０内外にデータを移動させることができる。
【００４４】
コントローラ／プロセッサ２２５は、バックホールインターフェースまたはネットワークインターフェース２３５にも連結される。バックホールインターフェースまたはネットワークインターフェース２３５は、ｇＮＢ １０２がバックホール接続やネットワークを介し、他の装置またはシステムと通信することを可能にする。インターフェース２３５は、ある適切な有線連結または無線連結を介して通信を支援することができる。例えば、ｇＮＢ １０２がセルラ通信システム（５Ｇ、ＬＴＥまたはＬＴＥ−Ａを支援するようなシステム）として具現されるとき、インターフェース２３５は、ｇＮＢ １０２が、有線または無線のバックホール連結を介し、ｇＮＢと通信することを可能にする。ｇＮＢ １０２がアクセスポイントとして具現されるとき、インターフェース２３５は、ｇＮＢ １０２が、有線または無線のローカル領域ネットワークを介するか、あるいは（インターネットのような）さらに大きいネットワークへの有線連結または無線連結を介して通信するようにすることができる。インターフェース２３５は、イーサネットやＲＦトランシーバのように、有線連結または無線連結を介する通信を支援するいかなる適切な構造をも含む。
【００４５】
メモリ２３０は、コントローラ／プロセッサ２２５と結合される。メモリ２３０の一部は、ＲＡＭを含んでもよく、メモリ２３０の他の一部は、フラッシュメモリや他のＲＯＭを含んでもよい。
【００４６】
図２は、ｇＮＢ １０２の一例を図示しているが、図２につき、多様な変形があり得る。例えば、ｇＮＢ １０２は、図２に図示された所定個数のそれぞれの構成要素を含んでもよい。特定例として、アクセスポイントは、多数のインターフェース２３５を含んでもよく、コントローラ／プロセッサ２２５は、互いに異なるネットワークアドレス間においてデータをローティングするローティング機能を支援することができる。他の特定例として、ＴＸプロセッシング回路２１５の１つの場合と、ＲＸプロセッシング回路２２０の１つの場合を含むように図示されているが、ｇＮＢ １０２は、それぞれにつき、さまざまな場合を含んでもよい（ＲＦトランシーバ当たり一つなど）。また、図２内のさまざまな構成要素が結合されたり、さらに細部分割されたり、省略されたりし、特定需要により、追加構成要素が追加されうる。
【００４７】
図３は、本開示の実施形態による例示的なＵＥ １１６を図示する。図３に図示されたＵＥ １１６の実施形態は、例示的なものであるのみ、図１のＵＥ１１１−１１５が、同一であるか、あるいは類似した構成を有することができる。しかし、該ＵＥは、広範囲な構成に示され、図３は、本開示の範囲をＵＥのある特定具現例に限定するものではない。
【００４８】
図３に図示されているように、ＵＥ １１６は、アンテナ３０５、無線周波数（ＲＦ）トランシーバ３１０、ＴＸプロセッシング回路３１５、マイクロフォン３２０及び受信（ＲＸ）プロセッシング回路３２５を含む。ＵＥ １１６は、またスピーカ３３０、プロセッサ３４０、入出力（Ｉ／Ｏ）インターフェース（ＩＦ）３４５、タッチスクリーン３５０、ディスプレイ３５５及びメモリ３６０を含む。メモリ３６０は、オペレーションシステム（ＯＳ）３６１と、１以上のアプリケーション３６２とを含む。
【００４９】
ＲＦトランシーバ３１０は、アンテナ３０５から、ネットワーク１００のｇＮＢによって伝送される入るＲＦ信号を受信する。ＲＦトランシーバ３１０は、入るＲＦ信号を下向き変換し、中間周波数（ＩＦ）や基底帯域信号を生成する。該ＩＦまたは該基底帯域信号は、ＲＸプロセッシング回路３２５に送られ、ＲＸプロセッシング回路３２５は、基底帯域またはＩＦ信号をフィルタリング、デコーディング及び／または二進化することにより、処理された基底帯域信号を生成する。ＲＸプロセッシング回路３２５は、処理された基底帯域信号を、スピーカ３３０（音声データなどの場合）に、あるいはプロセッサ３４０（ウェブブラウジングデータのような場合）に伝送する。
【００５０】
ＴＸプロセッシング回路３１５は、マイクロフォン３２０から、アナログやデジタル音声データを、またはプロセッサ３４０から他の出ていく基底帯域データ（ウェブデータ、電子メールまたはインタラクティブビデオゲームデータ）を受信する。ＴＸプロセッシング回路３１５は、出ていく基底帯域データを、エンコーディング、多重化及び／または二進化し、処理された基底帯域またはＩＦ信号を生成する。ＲＦトランシーバ３１０は、処理された出ていく基底帯域またはＩＦ信号を、ＴＸプロセッシング回路３１５から受信し、アンテナ３０５を介して伝送される基底帯域またはＩＦ信号を、ＲＦ信号に上向き変換する。
【００５１】
プロセッサ３４０は、１以上のプロセッサ、または他のプロセッシング装置を含んでもよく、ＵＥ １１６の全般的動作を制御するために、メモリ３６０に保存されたオペレーションシステム３６１を実行することができる。例えば、プロセッサ３４０は、周知の原理により、ＲＦトランシーバ３１０、ＲＸプロセッシング回路３２５及びＴＸプロセッシング回路３１５により、フォワードチャネル信号の受信、及びリバースチャネル信号の送信を制御することができる。一部実施形態においてプロセッサ３４０は、少なくとも１つのマイクロプロセッサやマイクロコントローラを含む。
【００５２】
プロセッサ３４０は、アップリンクチャネル上へのＣＳＩ報告のためのプロセスのように、メモリ３６０に常駐する他のプロセス及びプログラムを実行することもできる。プロセッサ３４０は、実行プロセスによって要求されるとき、メモリ３６０の内外にデータを移すことができる。一部実施形態において、プロセッサ３４０は、オペレーションシステム３６１に基づくか、あるいはｇＮＢや運営者から受信された信号に応じ、アプリケーション３６２を実行するように構成される。プロセッサ３４０は、また、ＵＥ １１６に、ラップトップコンピュータ及びハンドヘルドコンピュータのような他の装置への連結機能を提供するＩ／Ｏインターフェース３４５と結合される。Ｉ／Ｏインターフェース３４５は、そのようなアクセサリとプロセッサ３４０との通信経路である。
【００５３】
プロセッサ３４０は、またタッチスクリーン３５０及びディスプレイ３５５と結合される。ＵＥ １１６の運営者は、タッチスクリーン３５０を使用し、ＵＥ １１６にデータを入力することができる。ディスプレイ３５５は、液晶ディスプレイ、発光ダイオードディスプレイまたはウェブサイトなどからのテキスト、及び／または少なくとも制限されたグラフィックをレンダリングすることができる他のディスプレイでもある。
【００５４】
メモリ３６０は、プロセッサ３４０と結合される。メモリ３６０の一部は、ＲＡＭを含んでもよく、メモリ３６０の他の一部は、フラッシュメモリや、他のＲＯＭを含んでもよい。
【００５５】
図３は、ＵＥ １１６の一例を図示しているが、図３につき、多様な変形があり得る。例えば、図３内のさまざまな構成要素が結合されるか、さらに詳細分割されるか、省略されるか、あるいは特定需要により、追加構成要素が追加されもする。特定例として、プロセッサ３４０は、１以上の中央処理ユニット（ＣＰＵ）、及び１以上のグラフィック処理ユニット（ＧＰＵ）のようなさまざまなプロセッサにも分割される。また、図３は、モバイル電話機やスマートフォンとして構成されたＵＥ １１６を図示しているが、該ＵＥは、他タイプのモバイルまたは固定装置として動作するようにも構成される。
【００５６】
図４Ａは、伝送経路回路の上位レベル図面である。例えば、該伝送経路回路は、直交周波数分割多重化アクセス（ＯＦＤＭＡ）通信にも使用される。図４Ｂは、受信経路回路の上位レベル図面である。例えば、該受信経路回路は、直交周波数分割多重化アクセス（ＯＦＤＭＡ）通信にも使用される。図４Ａ及び図４Ｂにおいて、ダウンリンク通信のために、該伝送経路回路は、基地局（ｇＮＢ）や中継局においても具現され、該受信経路回路は、ユーザ機器（例えば、ユーザ機器１１６（図１））においても具現される。他の例として、アップリンク通信のために、受信経路回路４５０が基地局（例えば、ｇＮＢ（図１））や中継局においても具現され、該伝送経路回路は、ユーザ機器（例えば、ユーザ機器１１６（図１））においても具現される。
【００５７】
該伝送経路回路は、チャネルコーディング及び変調ブロック４０５、直列・並列（Ｓ−to−Ｐ）ブロック４１０、サイズＮの逆高速フーリエ変換（ＩＦＦＴ）ブロック４１５、並列・直列（Ｐ−to−Ｓ）ブロック４２０、周期的プレフィックス（cyclic prefix）追加ブロック４２５及び上向きコンバータ（ＵＣ）４３０を含む。受信経路回路４５０は、下向きコンバータ（ＤＣ）４５５、周期的プレフィックス除去ブロック４６０、直列・並列（Ｓ−to−Ｐ）ブロック４６５、サイズＮの高速フーリエ変換（ＦＦＴ）ブロック４７０、並列・直列（Ｐ−to−Ｓ）ブロック４７５、並びにチャネルデコーディング及び復調ブロック４８０を含む。
【００５８】
図４Ａ（４００）及び図４Ｂ（４５０）の構成要素のうち少なくとも一部は、ソフトウェアを介しても具現され、他の構成要素は、設定可能なハードウェア、あるいはソフトウェアと、設定可能ハードウェアとの混合を介しても具現される。特に、本開示において記述されるＦＦＴブロック及びＩＦＦＴブロックは、設定可能ソフトウェアアルゴリズムとしても具現され、ここで、サイズＮの値は、具現例によっても変更されるということを知らなければならない。
【００５９】
また、本開示が、高速フーリエ変換及び逆高速フーリエ変換を具現する実施形態を志向しているものの、それは、例示であるのみ、本開示の範囲を限定するものであると解釈されることがあってはならないのである。本開示の他の実施形態において、高速フーリエ変換関数と逆高速フーリエ変換関数とが、離散フーリエ変換（ＤＦＴ）関数及び逆離散フーリエ変換（ＩＤＦＴ）関数にそれぞれ容易に代替されうるということを知ることができるであろう。ＤＦＴ関数及びＩＤＦＴ関数において、変数Ｎの値は、任意の整数（すなわち、１、４、３、４など）でもあり、ＦＦＴ関数及びＩＦＦＴ関数において、変数Ｎの値は、２の冪数である整数（すなわち、１、２、４、８、１６など）でもあることを予想することができる。
【００６０】
伝送経路回路４００において、チャネルコーディング及び変調ブロック４０５は、情報ビットの集合を受信し、コーディング（例えば、ＬＤＰＣコーディング）を適用し、入力ビットを変調し（例えば、ＱＰＳＫ（quadrature phase shift keying）やＱＡＭ（quadrature amplitude modulation））、周波数ドメイン変調シンボルのシーケンスを生成する。直列・並列ブロック４１０は、ＮがＢＳ １０２及びＵＥ １１６に使用されるＩＦＦＴ／ＦＦＴサイズであるとき、Ｎ個の並列シンボルストリームを生成するために、直列変調されたシンボルを並列データに変換する（すなわち、逆多重化する）。サイズＮのＩＦＦＴブロック４１５は、Ｎ個の並列シンボルストリームにＩＦＦＴ演算を行い、時間ドメイン出力信号を生成する。並列・直列ブロック４２０は、直列時間ドメイン信号を生成するために、サイズＮであるＩＦＦＴブロック４１５から、並列時間ドメイン出力シンボルを変換する（多重化する）。周期的プレフィックス追加ブロック４２５は、時間ドメイン信号に、周期的プレフィックスを挿入する。最後に、上向きコンバータ４３０は、周期的プレフィックス追加ブロック４２５の出力を、無線チャネルを介する伝送のためのＲＦ周波数に変調する（上向き変換する）。前記信号は、ＲＦ周波数に変換する前、基底帯域でフィルタリングされうる。
【００６１】
伝送されたＲＦ信号は、無線チャネルを通過した後、ＵＥ １１６に逹し、ｇＮＢ １０２における動作に対して逆動作が遂行される。下向きコンバータ４５５は、受信された信号を基底帯域周波数に下向き変換し、周期的プレフィックス除去ブロック４６０は、周期的プレフィックスを除去し、直列時間ドメイン基底帯域信号を生成する。直列・並列ブロック４６５は、時間ドメイン基底帯域信号を、並列時間ドメイン信号に変換する。サイズＮのＦＥＴブロック４７０は、ＦＦＴアルゴリズムを遂行し、Ｎ個の並列周波数ドメイン信号を生成する。並列・直列ブロック４７５は、並列周波数ドメイン信号を、変調されたデータシンボルのシーケンスに変換する。チャネルデコーディング及び復調ブロック４８０は、変調されたシンボルを復調及びデコーディングし、本来の入力データストリームを復旧する。
【００６２】
ｇＮＢ １０１−１０３それぞれは、ユーザ機器１１１−１１６へのダウンリンク伝送と類似した送信経路を具現することができ、ユーザ機器１１１−１１６からのアップリンク受信と類似した受信経路を具現することができる。同様に、ユーザ機器１１１−１１６それぞれが、ｇＮＢ １０１−１０３へのアップリンク伝送のための構造に相応する送信経路を具現し、ｇＮＢ １０１−１０３からのダウンリンク受信のための構造に相応する受信経路を具現することができる。
【００６３】
５Ｇ通信システム使用ケースが識別及び記述されている。そのような使用ケースは、大体３個の互いに異なるグループにも分類される。一例において、ｅＭＢＢ（enhanced mobile broadband）は、高いビット率（ｂｉｔｓ／ｓｅｃ）要件、より厳格ではない待機時間及び信頼度要件と関係があると判断される。他の例において、ＵＲＬＬ（ultr areliable and low latency）は、さらに厳格ではないビット率要件を有すると判断される。さらに他の例において、ｍＭＴＣ（massive machine type communication）は、多数の装置が平方キロメートル当たり、十万ないし百万個ほどあり得るが、信頼度／処理率（throughput）／待機時間は、より厳格ではないと判断される。そのようなシナリオは、バッテリ消費が可能な限り最小化されなければならないという点において、電力効率性必要要件をさらに伴うことになる。
【００６４】
通信システムは、基地局（ＢＳ）またはNode Ｂのような伝送地点からユーザ装置（ＵＥ）に信号を伝達するダウンリンク（ＤＬ）と、ＵＥから、Node Ｂのような受信地点に信号を伝達するアップリンク（ＵＬ）とを含む。一般的に、端末やモバイルステーションとも呼ばれるＵＥは、固定されるか、あるいは移動型でもあり、携帯電話、パーソナルコンピュータ装置または自動化装置でもある。一般的に、固定ステーションであるｅNode Ｂは、アクセスポイント、またはある他の相応する用語によっても呼ばれる。ＬＴＥシステムにおいて、Node Ｂは、一般的にｅNode Ｂと称される。
【００６５】
ＬＴＥシステムのような通信システムにおいて、ＤＬ信号は、情報コンテンツを伝達するデータ信号、ＤＬ制御情報（ＤＣＩ）を伝達する制御信号、及びパイロット信号とも知られた基準信号（ＲＳ）を含んでもよい。ｅNode Ｂは、物理的ＤＬ共有チャネル（ＰＤＳＣＨ）を介してデータ情報を伝送する。ｅNode Ｂは、物理的ＤＬ制御チャネル（ＰＤＣＣＨ）や、改善されたＰＤＣＣＨ（ＥＰＤＣＣＨ）を介してＤＣＩを伝送する。
【００６６】
ｅNode Ｂは、物理的ハイブリッドＡＲＱ指示子チャネル（ＰＨＩＣＨ）を介し、ＵＥからのデータ伝送ブロック（ＴＢ）に応答し、承認情報を伝送する。ｅNode Ｂは、ＵＥ−共通ＲＳ（ＣＲＳ）、チャネル状態情報ＲＳ（ＣＳＩ−ＲＳ）及び復調ＲＳ（ＤＭＲＳ）を含むさまざまな類型のＲＳのうち１以上を伝送する。ＣＲＳは、ＤＬシステム帯域幅（ＢＷ）を介して伝送され、ＵＥにより、データや制御情報を復調したり、計測を行ったりするためのチャネル推定値の獲得にも使用される。ＣＲＳオーバーヘッドを減らすために、ｅNode Ｂは、時間ドメイン及び／または周波数ドメインにおいて、ＣＲＳより小さい密度を有したＣＳＩ−ＲＳを伝送することができる。ＤＭＲＳは、各自のＰＤＳＣＨやＥＰＤＣＣＨのＢＷにおいてのみ伝送され、ＵＥ １１４は、ＤＭＲＳを使用し、ＰＤＳＣＨやＥＰＤＣＣＨのそれぞれにおけるデータや制御情報を復調することができる。ＤＬチャネルの伝送時間インターバルは、サブフレームと称され、例えば、１ミリ秒の持続期間を有することができる。
【００６７】
ＤＬ信号は、また、システム制御情報を搬送する論理チャネルの伝送を含む。ＢＣＣＨは、ＤＬ信号がマスター情報ブロック（ＭＩＢ）を搬送するときは、ブロードキャストチャネル（ＢＣＨ）と称するか、あるいはＤＬ信号がシステム情報ブロック（ＳＩＢ）を搬送するときは、ＤＬ共有チャネル（ＤＬ−ＳＣＨ）と称する伝送チャネルにマッピングされる。ほとんどのシステム情報は、ＤＬ−ＳＣＨを利用して伝送される多様なＳＩＢに含まれる。１サブフレーム内ＤＬ−ＳＣＨ上のシステム情報の存在は、システム情報ＲＮＴＩ（ＳＩ−ＲＮＴＩ）、及びスクランブリングされた周期的重複チェック（ＣＲＣ）と共に、コードワードを搬送する当該ＰＤＣＣＨの伝送を介しても指示される。それとは異なり、ＳＩＢ伝送のためのスケジューリング情報は、初期ＳＩＢ内にも提供され、最初ＳＩＢ（ＳＩＢ−１）のスケジューリング情報は、ＭＩＢを介しても提供される。
【００６８】
ＤＬ資源割り当ては、サブフレーム単位で、物理的資源ブロック（ＰＲＢ）のグループにもなされる。伝送ＢＷは、資源ブロック（ＲＢ）と呼ばれる周波数資源ユニットを含む。それぞれのＲＢは、
【数１】
2021530925.tif 000003
サブキャリア、または１２資源要素（ＲＥ）のようなＲＥを含む。１サブフレームにわたる１ＲＢの単位をＰＲＢと称する。ＵＥには、ＰＤＳＣＨ伝送ＢＷにつき、総
【数２】
2021530925.tif 000004
個のＲＥに対するＭＰＤＳＣＨ個のＲＢが割り当てられうる。
【００６９】
ＵＬ信号は、データ情報を搬送するデータ信号、ＵＬ制御情報（ＵＣＩ）を搬送する制御信号、及びＵＬＲＳを含んでもよい。ＵＬＲＳは、ＤＭＲＳ及びサウンディングＲＳ（ＳＲＳ）を含む。ＵＥは、各自のＰＵＳＣＨまたはＰＵＣＣＨのＢＷないにおいてのみＤＭＲＳを伝送する。ｅNode Ｂは、ＤＭＲＳを利用し、データ信号やＵＣＩ信号を復調することができる。ＵＥは、ｅNode ＢにＵＬＣＳＩを提供するために、ＳＲＳを伝送する。ＵＥは、それぞれの物理的ＵＬ共有チャネル（ＰＵＳＣＨ）や物理的ＵＬ制御チャネル（ＰＵＣＣＨ）を介し、データ情報やＵＣＩを伝送する。ＵＥがデータ情報及びＵＣＩを等しいＵＬサブフレームを介して伝送しなければならない場合、ＵＥは、その二つをＰＵＳＣＨ内で多重化することができる。ＵＣＩは、データＰＤＳＣＨを介し、データＴＢに対する正しい（ＡＣＫ）というか、あるいは間違っている（ＮＡＣＫ）という検出を示すハイブリッド自動反復要請確認（ＨＡＲＱ−ＡＣＫ）情報、ＵＥ １１４が自体のバッファ内にデータを有するか否かということを示すスケジューリング要請（ＳＲ）、ランク指示子（ＲＩ）及びｅNode Ｂが、ＵＥへのＰＤＳＣＨ伝送のためのリンク適応を行うことを可能にするチャネル状態情報（ＣＳＩ）を含む。半永久的にスケジューリングされたＰＤＳＣＨの解除を示すＰＤＣＣＨ／ＥＰＤＣＣＨ検出により、ＵＥにより、ＨＡＲＱ−ＡＣＫ情報も伝送される。
【００７０】
ＵＬサブフレームは、２つのスロットを含む。それぞれのスロットは、データ情報、ＵＣＩ、ＤＭＲＳまたはＳＲＳを伝送するための
【数３】
2021530925.tif 000005
を含む。ＵＬシステムＢＷの周波数資源単位は、ＲＢである。ＵＥには、伝送ＢＷのための総
【数４】
2021530925.tif 000006
個のＲＥに対するＮＲＢ個のＲＢが割り当てられる。ＰＵＣＣＨにつき、ＮＲＢ＝１である。最後のサブフレームシンボルは１以上のＵＥからのＳＲＳ伝送の多重化にも使用される。データ／ＵＣＩ／ＤＭＲＳ伝送に使用可能なサブフレームシンボルの個数は、
【数５】
2021530925.tif 000007
であり、ここで、ＮＳＲＳ＝１は、最後のサブフレームシンボルがＳＲＳを伝送するのに使用される場合であり、他の場合、ＮＳＲＳ＝０である。
【００７１】
図５は、本開示の実施形態によるサブフレーム内ＰＤＳＣＨのための送信器ブロック図５００を図示する。図５に図示された送信器ブロック図５００の実施形態は、ただ例示のためのものである。図５は、送信器ブロック図５００のある特定具現例であり、本開示の範囲を限定するものではない。
【００７２】
図５に図示されているように、情報ビット５１０がターボエンコーダのようなエンコーダ５２０によってエンコーディングされ、例えば、直交位相シフトキーイング（ＱＰＳＫ）変調を利用する変調器５３０によって変調される。直列・並列（Ｓ／Ｐ）変換器５４０は、Ｍ個の変調シンボルを生成し、次に、そのシンボルをマッパ５５０に提供して割り当てられたＰＤＳＣＨ伝送ＢＷにつき、伝送ＢＷ選択ユニット５５５が選択したＲＥにマッピングされるようにし、ユニット５６０は、逆高速フーリエ変換（ＩＦＦＴ）を適用し、その出力は、並列・直列（Ｐ／Ｓ）変換器５７０を介して直列化され、時間ドメイン信号に生成され、フィルタ５８０によるフィルタリングが適用された後、信号が伝送される（５９０）。データスクランブリング、循環プレフィックス挿入、タイムウィンドウイング（time windowing）、インターリービング、及びその他追加機能が、該技術分野に周知されているが、簡潔さのために図示されていない。
【００７３】
図６は、本開示の実施形態によるサブフレーム内ＰＤＳＣＨに係わる受信器ブロック図６００を図示する。図６に図示された図面６００の実施形態は、ただ例示のためのものである。図６は、図面６００のある特定具現例であり、本開示の範囲を限定するものではない。
【００７４】
図６に図示されているように、受信された信号６１０が、フィルタ６２０によってフィルタリングされ、割り当てられた受信ＢＷに係わるＲＥ ６３０がＢＷ選択器６３５によって選択され、ユニット６４０が高速フーリエ変換（ＦＦＴ）を適用し、並列・直列変換器６５０を介し、出力が直列化される。次に、復調器６６０が、ＤＭＲＳ（図示せず）またはＣＲＳ（図示せず）から獲得したチャネル推定値を適用し、データシンボルを一貫されるように復調し、ターボデコーダのようなデコーダ６７０が復調されたデータをデコーディングし、情報データビットの推定値６８０を提供する。タイムウィンドウイング、周期的プレフィックス除去、デスクランブリング、チャネル推定及びデインターリービングのような追加的な機能は、簡潔性のために図示されていない。
【００７５】
図７は、本開示の実施形態によるサブフレーム内ＰＵＳＣＨのための送信器ブロック図７００を図示する。図７に図示されたブロック図７００の実施形態は、ただ例示のためのものである。図７は、ブロック図７００のある特定具現例であり、本開示の範囲を限定するものではない。
【００７６】
図７に図示されているように、情報ビット７１０が、ターボエンコーダのようなエンコーダ７２０によってエンコーディングされ、変調器７３０によって変調される。離散フーリエ変換（ＤＦＴ）ユニット７４０が、変調されたデータビットにＤＦＴを適用し、割り当てられたＰＵＳＣＨ伝送ＢＷに対応するＲＥ ７５０が、伝送ＢＷ選択ユニット７５５によって選択され、ユニット７６０がＩＦＦＴを適用し、周期的プレフィックス挿入（図示せず）後、フィルタ７７０を介し、フィルタリングが適用された後、信号が伝送される（７８０）。
【００７７】
図８は、本開示の実施形態によるサブフレーム内ＰＵＳＣＨのための受信器ブロック図８００を図示する。図８に図示されたブロック図８００の実施形態は、ただ例示のためのものである。図８は、ブロック図８００のある特定具現例であり、本開示の範囲を限定するものではない。
【００７８】
図８に図示されているように、受信された信号８１０は、フィルタ８２０によってフィルタリングされる。次に、周期的プレフィックスが除去された後（図示せず）、ユニット８３０がＦＦＴを適用し、割り当てられたＰＵＳＣＨ受信ＢＷに対応するＲＥ ８４０が受信ＢＷ選択器８４５によって選択され、ユニット８５０が、逆ＤＦＴ（ＩＤＦＴ）を適用し、復調器８６０がＤＭＲＳ（図示せず）から獲得したチャネル推定値を適用し、データシンボルを一貫されるように復調し、ターボデコーダのようなデコーダ８７０が、復調されたデータをデコーディングし、情報データビットの推定値８８０を提供する。
【００７９】
次世代セルラシステムにおいては、ＬＴＥシステムの能力を超える多様な使用ケースが考察される。５Ｇまたは５世代セルラシステムと呼ばれる、６ＧＨｚ未満及び６ＧＨｚ以上（例えば、ｍｍWave体制）で作動することができるシステムが、そのような要件のうちの一つになる。３ＧＰＰ ＴＲ ２２．８９１において、７４５Ｇ使用ケースが確認されて記述された。そのような使用ケースは、大体３個の互いに異なるグループに分類されうる。第１グループは、「改善されたモバイルブロードバンド（ｅＭＢＢ：enhanced mobile broadband）と呼ばれ、さらに厳格ではない待機時間及び信頼性の要件を有する高いデータ速度のサービスをターゲットにする。第２グループは、「ＵＲＬＬ（ultra-reliable and low latency）」と呼ばれ、さらに厳格ではないデータ速度要件を有するが、待機時間については、寛大さがさらに小さいアプリケーションをターゲットにする。第３グループは、「ｍＭＴＣ（massive ＭＴＣ）」と呼ばれながら、さらに厳格ではない信頼性、データ速度及び待機時間の要件を有する平方キロメートル当たり百万個のような多数の低電力装置連結をターゲットにする。
【００８０】
５Ｇネットワークが、そのような多様なサービス品質（ＱｏＳ）を有した多様なサービスを支援するために、ネットワークスライシングと呼ばれる１つの方法が３ＧＰＰ仕様内で確認された。ＤＬ−ＳＣＨにおいて、ＰＨＹ資源を効率的に活用し、（異なる資源割り当てスキーム、数秘学及びスケジューリング戦略を有する）多様なスライスを多重化するために、融通性あり、自己充足的なフレームまたはサブフレームの設計が使用される。
【００８１】
図９は、本開示の実施形態による例示的２枚のスライス９００の多重化を図示する。図９に図示された２枚のスライス９００の多重化に係わる実施形態は、ただ例示のためのものである。図９は、２枚のスライス９００の多重化に係わるある特定具現例であり、本開示の範囲を限定するものではない。
【００８２】
共通するサブフレーム内またはフレーム内の２枚のスライスを多重化する２つの例示的インスタンスが図９に図示される。そのような例示的実施形態において、１枚のスライスは、１または２の伝送インスタンスによっても構成され、１つの伝送インスタンスは、例えば、制御（ＣＴＲＬ）成分９２０ａ，９６０ａ，９６０ｂ，９２０ｂまたは９６０ｃ、及び、例えば、データ成分９３０ａ，９７０ａ，９７０ｂ，９３０ｂまたは９７０ｃを含む。一実施形態９１０において、２枚のスライスは、周波数ドメインで多重化される一方、一実施形態９５０において、２枚のスライスは、時間ドメインで多重化される。この２枚のスライスは、互いに異なる数秘学集合（sets of numerology）と共に伝送されうる。
【００８３】
３ＧＰＰ仕様は、ｇＮＢが多数（６４個または１２８個など）のアンテナ素子を備えさせる最大３２個のＣＳＩ−ＲＳアンテナポートを支援する。その場合、複数のアンテナ素子が、１つのＣＳＩ−ＲＳポート上にマッピングされる。５Ｇのような次世代セルラシステムにつき、最大数のＣＳＩ−ＲＳポートは、そのまま維持されるか、あるいは増加しうる。
【００８４】
図１０は、本開示の実施形態による例示的アンテナブロック１０００を図示する。図１０に図示されたアンテナブロック１０００の実施形態は、ただ例示のためのものである。図１０は、アンテナブロック１０００のある特定具現例であり、本開示の範囲を限定するものではない。
【００８５】
ｍｍWave帯域において、アンテナ素子の個数は、与えられた形態因子（form factor）に比べても多いが、ＣＳＩ−ＲＳポートの個数（デジタル前置コーディングされたポートの個数に該当しうる）は、図１０に例示されているように、ハードウェア拘束要件（多数のＡＤＣ／ＤＡＣをｍｍWave周波数帯にインストールする可能性など）によって制限される傾向がある。その場合、１つのＣＳＩ−ＲＳポートがアナログ位相シフタのバンクによっても制御される多数のアンテナ素子上にマッピングされる。１つのＣＳＩ−ＲＳポートは、アナログビームフォーミングを介し、狭いアナログビームを生成する１つのサブアレイにも対応する。そのようなアナログビームは、シンボルまたはサブフレームにわたり、位相シフタバンク（phase shifter bank）を可変とすることにより、広い範囲の角度にわたってスウィーピングするようにも設定される。サブアレイの個数（ＲＦチェーンの個数に該当する）は、ＣＳＩ−ＲＳポートの個数（ＮＣＳＩ−ＰＯＲＴ）と同一である。デジタルビームフォーミングユニットは、前置コーディング利得をさらに高めるために、ＮＣＳＩ−ＰＯＲＴ個のアナログビームにわたる線形組み合わせを行う。アナログビームは、広帯域であるが（従って、周波数選択性はない）、デジタル前置コーディングは、周波数サブ帯域や資源ブロックにわたって可変になりうる。
【００８６】
例示的内容、及び以下の実施形態は、ＯＦＤＭ（orthogonal frequency division multiplexing）またはＯＦＤＭＡ（orthogonal frequency division multiple access）を仮定するが、本開示は、Ｆ−ＯＦＤＭ（filtered ＯＦＤＭ）のような他のＯＦＤＭ基盤伝送波形または多重化アクセス方式にも拡張される。
【００８７】
図１１は、本開示の実施形態による例示的なネットワーク構成１１００を図示する。図１１に図示されたネットワーク構成１１００の実施形態は、ただ例示のためのものである。図１１は、構成１１００のある特定具現例であり、本開示の範囲を限定するものではない。
【００８８】
５Ｇネットワークがそのような多様なサービス品質（ＱｏＳ）を有した多様なサービスを支援するために、ネットワークスライシングと呼ばれる１つの方式が、３ＧＰＰ仕様内で確認された。
【００８９】
図１１で図示されているように、事業者のネットワーク１１１０は、ｇＮＢ １１３０ａ、小型セル基地局（femto／pico ｇＮＢまたはＷｉ−Ｆｉアクセスポイント）１１３５ａ及び１１３５ｂのようなネットワーク機器と結び付けられる多数の無線アクセスネットワーク１１２０（ＲＡＮ）を含む。ネットワーク１１１０は、多様なサービスを支援することができ、そのそれぞれをスライスと表現する。
【００９０】
該例において、ＵＲＬＬスライス１１４０ａは、車両１１４５ａ、トラック１１４５ｃ、スマートウォッチ１１４５ａ及びスマートめがね１１４５ｄをサービスする。２つのｍＭＴＣスライス１１５０ａ及び５５０ｂは、電力測定器５５５ｂ及び温度制御ボックス１１５５ｂのようなｍＭＴＣサービスを必要とするＵＥをサービスする。１枚のｅＭＢＢスライス１１６０ａは、セルフォン１１６５ａ、ラップトップ１１６５ｂ及びタブレット１１６５ｃのようなｅＭＢＢサービスを必要すとるＵＥをサービスする。２枚のスライドによって構成された機器も予想されうる。
【００９１】
図１２は、本開示の実施形態による例示的アンテナポートレイアウト１２００を図示する。図１２に図示されたアンテナポートレイアウト１２００の実施形態は、ただ例示のためのものである。図１２は、ある特定具現例であり、本開示の範囲を限定するものではない。
【００９２】
本開示においては、Ｎ１及びＮ２が、それぞれ第１次元及び第２次元と、同一極性を有するアンテナポートの個数と仮定する。２Ｄアンテナポートレイアウトにおいては、Ｎ１＞１、Ｎ２＞１であり、１Ｄアンテナポートレイアウトにおいては、Ｎ１＞１そしてＮ２＝１である。従って、双極性（dual-polarized）アンテナポートレイアウトにおいて、アンテナポート総数は、２Ｎ１Ｎ２になる。一例示が、図１２に図示される。
【００９３】
一実施形態において、ランク１−２高解像度（例えば、タイプＩＩ）ＣＳＩ報告のためのデュアルステージＷ＝Ｗ１Ｗ２コードブックが支援され、ここで、Ｗ１コードブックは、一定間隔の（Ｎ１，Ｎ２）ＤＦＴビームを含む直交ベース集合を、選択された直交ベース集合内Ｎ１Ｎ２ＤＦＴビーム内で自由にＬ個のビームを、２Ｌ係数（Ｌ個のビーム及び２極性）において最も強い係数を、そして残り（２Ｌ−１０個の係数のＷＢ振幅を選択するのに使用される。そのような実施形態において、Ｌ∈｛２,３,４｝は、上位階層にも設定される。該選択は、ＷＢ、すなわち、ＣＳＩ報告について設定された全てのＳＢに共通するＷＢである。選択されたＬ個のビームは、全階層、及び２つの極性について共通するが（すなわち、ビームが階層共通的に極性共通的）、最も強い係数、及びＷＢ振幅選択は、それぞれの階層ごとに独立的している（すなわち、階層に固有である）。
【００９４】
一実施形態において、Ｗ２コードブックは、階層ごとに独立して選択されたＬ個のビームを線形的に結合する（合わせる）ところに使用される。そのような係数を結合したところに係わるＳＢ振幅及びＳＢ位相がそれぞれ報告され、このとき、ＳＢ振幅報告は、上位階層シグナリングパラメータであるsubbandamplitudeを介し、ターンオン／オフされうる。
【００９５】
階層１に係わる前置コーディングベクトルが次のように与えられる：
【００９６】
【数６】
2021530925.tif 000008
【００９７】
ここで、
【数７】
2021530925.tif 000009
は、ビームｉ及び階層ｌに係わるＷＢ振幅係数、ＳＢ振幅係数及びＳＢ位相係数に該当し、インデックス
【数８】
2021530925.tif 000010
は、ビームｉ＝０,１,Ｋ,Ｌ−１につき、
【数９】
2021530925.tif 000011
と与えられ、その数量ｖｌ,ｍ（ＤＦＴビーム）は、次のように与えられる：
【００９８】
【数１０】
2021530925.tif 000012
【００９９】
このとき、ランクＲ前置コーディング行列（その列（columns）が、階層ｌ＝１、２、… …、Ｒに係わる前置コーディングベクトルに相当する）が、
【数１１】
2021530925.tif 000013
で与えられる。
【０１００】
前置コーディング行列Ｗは、ＵＥが報告するタイプＩＩ ＣＳＩ内にも含まれるＰＭＩと指示される。
【０１０１】
２個のＲｘアンテナを使用するＵＥにおいて、タイプＩＩ ＣＳＩの平均システム性能がタイプＩＣＳＩより大きい（平均ユーザ処理率（throughput）の最大３０％まで）。ＵＥにおける４個のＲｘアンテナと係わり（それは、ＮＲ配備において、一般的であると予想される）、ＵＥがさらに高い（すなわち、ランク３−４）タイプＩＩ ＣＳＩを報告することができるので、利得がはるかに大きいであろうと予想される。しかし、ランク＞２に係わるタイプＩＩ ＣＳＩコードブックの単純拡張は、かなり大きいＣＳＩ報告ペイロードを有し、それは、タイプＩＩ ＣＳＩを伝達するＵＣＩが利用することができる資源には適さないのである。従って、相当なシステム性能を保証しながらも、さらに低いペイロード、例えば、ランク２に匹敵するペイロード）ランク＞２タイプＩＩ ＣＳＩコードブックを設計することが望ましい。
【０１０２】
本開示は、そのような目的を達成するために使用されうる一部の例示的実施形態／構成要素を提案する。開示の残り部分において、ランクＲ ＣＳＩは、伝送のためのＲ個の階層（階層１、階層２、…、階層Ｒ）を取って導出／獲得されるＣＳＩに該当する。
【０１０３】
実施形態１において、ＵＥは、（上位階層シグナリングを介して）高解像度（例えば、タイプＩＩ）ＣＳＩを報告するように構成され、ここで、ランク１−２ ＣＳＩを報告するためのコードブックは、ＮＲ仕様タイプＩＩランク１−２ ＣＳＩコードブックに該当し、ランク＞２ ＣＳＩを報告するためのコードブックは、以下の代案のうち少なくとも一つに該当する。
【０１０４】
代案（Ａｌｔ）１−１の一例において、ランク３−４タイプＩＩ ＣＳＩを報告するためのコードブックは、ＮＲタイプＩランク３−４ ＣＳＩコードブックに該当し、ランク５−８タイプＩＩ ＣＳＩ報告は、支援されない。
【０１０５】
代案１−２の一例において、ランク３−４タイプＩＩ ＣＳＩを報告するためのコードブックは、ＮＲタイプＩランク３−４ ＣＳＩコードブックに該当するが、１６個未満のポートに係わるＮＲ Ｒｅｌ．１５タイプＩランク３−４ ＣＳＩコードブックが１６個未満のポート、及び１６個以上のポートのいずれにも使用されるということは、例外とし、ランク５−８タイプＩＩ ＣＳＩ報告は、支援されない。
【０１０６】
代案１−３の一例において、ランク３−８タイプＩＩ ＣＳＩを報告するためのコードブックは、ＮＲタイプＩランク３−８ ＣＳＩコードブックに該当する。
【０１０７】
代案１−４の一例において、ランク３−８タイプＩＩ ＣＳＩを報告するためのコードブックは、ＮＲタイプＩランク３−８ ＣＳＩコードブックに該当するが、１６個未満のポートに係わるＮＲ Ｒｅｌ．１５タイプＩランク３−４ ＣＳＩコードブックが１６個未満のポート、及び１６個以上のポートのいずれにも使用されるということは、例外にする。
【０１０８】
代案１−５の一例において、ランク３−４タイプＩＩ ＣＳＩを報告するためのコードブックは、本開示で後で提案されるランク３−４コードブックに該当し、ランク５−８タイプＩＩ ＣＳＩ報告は、支援されない。
【０１０９】
代案１−６の一例において、ランク３−４タイプＩＩ ＣＳＩを報告するためのコードブックは、本開示で後で提案されるランク３−４コードブックに該当し、ランク５−８タイプＩＩ ＣＳＩを報告するためのコードブックは、ＮＲタイプＩランク５−８ ＣＳＩコードブックに該当する。
【０１１０】
代案１−７の一例において、ランク３−８タイプＩＩ ＣＳＩを報告するためのコードブックは、本開示で後で提案されるランク３−８コードブックに該当する。
【０１１１】
実施形態２において、ＵＥは、（上位階層シグナリングを介して）高解像度（別名として、タイプＩＩ）ＣＳＩを報告するように構成され、ここで、タイプＩＩ ＣＳＩを報告するためのコードブックは、デュアルステージＷ＝Ｗ１Ｗ２であり、第１ステージ（Ｗ１）は、次のような代案のうち少なくとも一つにより、線形結合／和（ＬＣ）に係わるビーム（例えば、ＤＦＴビーム
【数１２】
2021530925.tif 000014
）を選択する。
【０１１２】
代案２−１（階層固有のビーム選択）の一例においては、それぞれの階層ごとに、次のような下位代案のうち少なくとも一つにより、ＬＣのためのＭ個のビームが選択される。
【０１１３】
代案２−１−１の１つの場合において、Ｍ個のビームが、全階層について共通するＬ個のビーム（Ｌ≧Ｍ）から選択され、Ｎ１Ｎ２ビームを含む直交ＤＦＴベースから選択される。一例において、ＰＭＩインデックスｉ１,１は、直交ＤＦＴベースを示し、ＰＭＩインデックスｉ１,２,０は、Ｌ個のビームを示し、ＰＭＩインデックスｉ１,２,１,ｉ１,２,２,...,ｉ１,２,ｖは、階層１，２，…，Ｒそれぞれについて選択されたＭ個のビームを示す。
【０１１４】
代案２−１−２の１つの場合において、Ｎ１Ｎ２ビームを含む直交ＤＦＴベースからＬ＝Ｍ個のビームが選択される。一例において、ＰＭＩインデックス／は、直交ＤＦＴベースを示し、ＰＭＩインデックスｉ１,１は、階層１，２，…，ｖそれぞれについて選択されたＭ個のビームを示す。
【０１１５】
代案２−１Ａ（階層固有のビーム選択）の一例においては、それぞれの階層ｌごとに、次のような下位代案のうち少なくとも一つにより、ＬＣのためのＭｌ個のビームが選択される。
【０１１６】
代案２−１Ａ−１の１つの場合において、Ｍｌ個のビームが、全階層について共通するＬ個のビーム（Ｌ≧Ｍｌ）から選択され、Ｎ１Ｎ２ビームを含む直交ＤＦＴベースから選択される。一例において、ＰＭＩインデックスｉ１,１は、直交ＤＦＴベースを示し、ＰＭＩインデックスｉ１,２,０は、Ｌ個のビームを示し、ＰＭＩインデックスｉ１,２,１,ｉ１,２,２,...,ｉ１,２,ｖは、階層１，２，…，Ｒ＝ｖそれぞれについて選択されたＭｌ個のビームを示す。
【０１１７】
代案２−１Ａ−２の１つの場合において、Ｎ１Ｎ２ビームを含む直交ＤＦＴベースからＭ１個のビームが選択される。一例において、ＰＭＩインデックスｉ１,１は、直交ＤＦＴベースを示し、ＰＭＩインデックスｉ１,２,１,ｉ１,２,２,...,ｉ１,２,ｖは、階層１，２，…，Ｒ＝ｖそれぞれについて選択されたＭｌ個のビームを示す。
【０１１８】
代案２−２（階層・対（layer-pair）固有のビーム選択）の一例においては、連続階層（ｉ，ｉ＋１）に係わるそれぞれの対ごとに、次のような下位代案のうち少なくとも一つにより、ＬＣのためのＭ個のビームが選択される。
【０１１９】
代案２−２−１の１つの場合において、Ｍ個のビームが、連続階層の全ての対について共通するＬ個のビーム（Ｌ≧Ｍｌ）から選択され、Ｎ１Ｎ２ビームを含む直交ＤＦＴベースから選択される。一例において、ＰＭＩインデックスｉ１,１は、直交ＤＦＴベースを示し、ＰＭＩインデックスｉ１,２,０は、Ｌ個のビームを示し、ＰＭＩインデックス
【数１３】
2021530925.tif 000015
は、階層対（１，２）、（３，４）、…、それぞれについて選択されたＭ個のビームを示す。
【０１２０】
代案２−２−２の１つの場合において、Ｎ１Ｎ２ビームを含む直交ＤＦＴベースからＬ＝Ｍ個のビームが選択される。一例において、ＰＭＩインデックスｉ１,１は、直交ＤＦＴベースを示し、ＰＭＩインデックス
【数１４】
2021530925.tif 000016
は、階層対（１，２）、（３，４）、…、それぞれについて選択されたＭ個のビームを示す。
【０１２１】
代案２−２Ａ（階層・対固有のビーム選択）の一例においては、連続階層（ｉ，ｉ＋１）に係わるそれぞれの対（ｌ）ごとに、次のような下位代案のうち少なくとも一つにより、ＬＣのためのＭ１個のビームが選択される。
【０１２２】
代案２−２Ａ−１の１つの場合において、Ｍｌ個のビームが、連続階層の全ての対について共通するＬ個のビーム（Ｌ≧Ｍｌ）から選択され、Ｎ１Ｎ２ビームを含む直交ＤＦＴベースから選択される。一例において、ＰＭＩインデックスｉ１,１は、直交ＤＦＴベースを示し、ＰＭＩインデックスｉ１,２,０は、Ｌ個のビームを示し、ＰＭＩインデックス
【数１５】
2021530925.tif 000017
は、階層対（１，２）、（３，４）、…、それぞれについて選択されたＭｌ個のビームを示す。
【０１２３】
代案２−２Ａ−２の１つの場合において、Ｎ１Ｎ２ビームを含む直交ＤＦＴベースからＭ１個のビームが選択される。一例において、ＰＭＩインデックスｉ１,１は、直交ＤＦＴベースを示し、ＰＭＩインデックス
【数１６】
2021530925.tif 000018
は、階層対（１，２）、（３，４）、…、それぞれについて選択されたＭｌ個のビームを示す。
【０１２４】
代案２−３（階層共通のビーム選択）の一例においては、全階層につき、Ｎ１Ｎ２個のビームを含む直交ＤＦＴベースから、ＬＣについてＭ＝Ｌ個のビームが選択される。一例において、ＰＭＩインデックスｉ１,１は、直交ＤＦＴベースを示し、ＰＭＩインデックスｉ１,２は、Ｌ個のビームを示す。代案２−１−２、代案２−２−２及び代案２−３につき、値Ｌ＝Ｍは、固定されるか、あるいは上位階層に設定される。代案２−１−１及び代案２−２−１につき、値Ｌ及びＭは、固定されるか、あるいは上位階層に設定される。代案２−１Ａ−１及び代案２−２Ａ−１につき、値Ｌ、及び値の集合｛Ｍｌ｝は、固定されるか、あるいは上位階層に設定される。それと異なり、代案２−１−１及び代案２−２−１につき、値Ｌは、上位階層に設定され、Ｍは、固定されるか、あるいはＵＥによって報告される。それと異なり、代案２−１Ａ−１及び代案２−２Ａ−１につき、値Ｌは、上位階層に設定され、値の集合｛Ｍｌ｝は、固定されるか、あるいはＵＥによって報告される。
【０１２５】
一例において、値Ｍは、ランクによって左右される。例えば、Ｍは、ランクによって低減される：ランク１−２についてＭ＝Ｌ∈｛２,３,４｝であり、ランク３−４についてＭ＝２であり、ランク５−８についてＭ＝１である。
【０１２６】
他の例において、Ｍビームに係わる選択は、ＷＢだあり、すなわち、ＣＳＩ報告のために設定された全てのＳＢについて共通するＭ個のビームが選択される。他の例において、Ｍビームに係わる選択は、ＳＢごとになされ、すなわち、それぞれのＳＢごとに、Ｍ個のビームが選択される。
【０１２７】
一例において、代案２−１Ａ及び代案２−２Ａにつき、値の集合｛Ｍｌ｝は、例えば、αが固定される場合、
【数１７】
2021530925.tif 000019
になり、Ｌｍａｘがランク２ ＣＳＩ報告のためのＬの最大値である場合、α＝２Ｌｍａｘになるようにする。
【０１２８】
他の例において、代案２−１Ａ及び代案２−２Ａにつき、値の集合｛Ｍｌ｝は、例えば、αが固定される場合、
【数１８】
2021530925.tif 000020
になり、Ｌｍａｘがランク２ ＣＳＩ報告のためのＬの最大値である場合、α＝２Ｌｍａｘになるようにし、Ｍｌ＞Ｍｍ ｆｏｒ ｌ＜ｍである。
【０１２９】
１つの下位実施形態２−１において、第１ステージ（Ｗ１）は、代案２−１，２−２，２−１Ａ，２−２Ａ及び／または２−３の組み合わせに基づき、ビームを選択する。例えば、階層の部分集合（Ｓ１）に係わるビーム選択は、代案Ｘにより、他の階層の部分集合（Ｓ２）に係わるビーム選択は、代案Ｙによる。一部例は、次の通りである。
【０１３０】
例２−１である一例において、Ｓ１＝｛１，２｝、Ｓ２＝｛３，４｝、Ｘ＝２−３、そしてＹ＝２−１または２−１Ａである。
【０１３１】
例２−２である一例において、Ｓ１＝｛１，２｝、Ｓ２＝｛３，４｝、Ｘ＝２−１または２−１Ａであり、Ｙ＝２−３である。
【０１３２】
例２−３である一例において、Ｓ１＝｛１，２｝、Ｓ２＝｛３、８｝、Ｘ＝２−３、そしてＹ＝２−１または２−１Ａである。
【０１３３】
例２−４である一例において、Ｓ１＝｛１，２｝、Ｓ２＝｛３、８｝、Ｘ＝２−１または２−１Ａであり、Ｙ＝２−３である。
【０１３４】
１つの下位実施形態２−２において、第１ステージ（Ｗ１）は、値Ｌに基づき、ビームを選択する。Ｌ＝ａである場合、ビーム選択は、代案２−２−２による、すなわち、それぞれの連続階層・対（ｉ，ｉ＋１）ごとに、独自にＬ個のビームが選択され、Ｌ＞ａである場合、代案２−３により、すなわち、全階層について共通するビームが選択される。
【０１３５】
一例において、ランク３−４タイプＩＩ ＣＳＩ報告のために、Ｌ＝２である場合、ビーム選択は、代案２−２−２により、すなわち、階層・対（１，２）及び（３，４）それぞれにつき、独自にＬ＝２個のビームが選択され、Ｌ＝３−４である場合、代案２−３により、すなわち、全階層（１，２，３，４）について共通するビームが選択される。
【０１３６】
実施形態３において、ＵＥは、（上位階層シグナリングを介して）高解像度（例えば、タイプＩＩ）ＣＳＩを報告するように構成され、ここで、タイプＩＩ ＣＳＩを報告するためのコードブックは、デュアルステージＷ＝Ｗ１Ｗ２であり、第２ステージ（Ｗ２）は、次のような代案のうち少なくとも一つにより、線形結合／和のための係数（例えば、ＷＢ振幅係数
【数１９】
2021530925.tif 000021
、ＳＢ振幅係数
【数２０】
2021530925.tif 000022
及び／またはＳＢ位相係数
【数２１】
2021530925.tif 000023
）を選択する。
【０１３７】
代案３−１の一例において、ＬＣのためのビーム（例えば、ＤＦＴビーム
【数２２】
2021530925.tif 000024
）の個数は、階層にわたって同一であり、それにより、ＬＣのための係数の個数（ビームの個数の２倍に相当する）も、また階層にわたって同一である。それは、結局、係数を報告するためのペイロード（ビット数）が、各階層ごとに同一であるということを意味する。
【０１３８】
代案３−２の一例において、ＬＣのためのビーム（例えば、ＤＦＴビーム
【数２３】
2021530925.tif 000025
）の個数は、階層にわたって異なり、それにより、ＬＣのための係数の個数（ビームの個数の２倍に相当する）も、また階層にわたっても異なる。それは、結局、係数を報告するためのペイロード（ビット数）が各階層にわたって可変になりうるということを意味する。
【０１３９】
ＬＣのためのビームの個数は、２つのアンテナ極性について同一であると前提されること（すなわち、数式１の２つの合算式それぞれの項の個数が同一であると前提される）を知らなければならない。
【０１４０】
１つの下位実施形態３−１において、Ｌ＝ａである場合、ＬＣのためのビームの個数は、代案３−１により、Ｌ＞ａである場合には、代案３−２による。例えば、ランク３−４タイプＩＩ ＣＳＩ報告のために、Ｌ＝２である場合、ＬＣのためのビームの個数は、代案３−１により、Ｌ＞２（例えば、３−４）である場合には、代案３−２による。
【０１４１】
ｎｉが階層ｉの前置コーディングベクトルを得るために線形的に結合される（合わせられる）ビームの個数であると言うことができる。
【０１４２】
１つの下位実施形態３−２において、ランクＲにおいて、同一／同一ではないビームの個数（代案３−２による）に係わる候補／仮説は、以下の条件に基づいて決定される。
【０１４３】
一例において、ビームの総数は、固定され、すなわち、
【数２４】
2021530925.tif 000026
であり、ここで、αは、固定される。例えば、Ｒ＞２についてα＝８であり、それは、ランク２に係わるビームの総数の最大値に該当する（Ｌ＝４に相当する）。
【０１４４】
一例において、ビームの個数は、階層について増加せず、すなわち、ｎ１≧ｎ２≧…≧ｎＲである。
【０１４５】
【表１】
2021530925.tif 000027
【０１４６】
【表２】
2021530925.tif 000028
【０１４７】
Ｒ＝３−８及びＬ＝２−４に係わる例が、表１及び表２に見られる。Ｌ＝２において、ビームの個数に係わる唯一の仮説／候補だけが存在し（代案３−１に該当する）、Ｌ＝３−４については、インデックスＩと指示される多数の仮説／候補が存在する。インデックスＩは、以下の代案のうち少なくとも一つによって決定される。
【０１４８】
代案３−２−１の一例において、ただ１つのインデックスＩが支援される。１つの場合、ランク３−４につき、Ｌ＝２：Ｉ＝３である。他の場合、ランク３につき、Ｌ＝３：Ｉ＝２であり、ランク４につき、Ｉ＝３である。さらに他の場合、ランク３につき、Ｌ＝４：Ｉ＝２であり、ランク４につき、Ｉ＝３である。
【０１４９】
代案３−２−２の一例において、ＵＥは、選好するインデックスＩを報告する。そのような例において、そのような報告は、ＷＢ方式により、他のＷＢ ＰＭＩインデックス（例えば、ｉ１，３，ｌ）と共同に、あるいは新たなＷＢ ＰＭＩ（例えば、ｉ１，５，ｌ）によってなる。他の例において、そのような報告は、ＳＢごとに、他のＳＢ ＰＭＩインデックス（例えば、ｉ２，１，ｌ）と共同に、あるいは新たなＳＢ ＰＭＩ（例えば、ｉ２，３，ｌ）によってなる。
【０１５０】
代案３−２−３の一例において、インデックスＩは、（例えば、上位階層ＲＲＣシグナリングを介して）他の上位階層パラメータ（例えば、Ｌ）と共同に、あるいは新たな上位階層パラメータ（例えば、beamAllocation）として設定される。
【０１５１】
変形例として、ビームの数に係わる候補／仮説の集合は、全ての可能な候補の部分集合である。そのような部分集合は、固定されるか、あるいは上位階層にも設定される。該部分集合が最大２個の仮説を含む一例は、次の通りである。
【０１５２】
一例において、ランク３につき、Ｌ＝３：Ｉ＝２であり、ランク４につき、Ｉ＝｛２，３｝である。他の例において、ランク３につき、Ｌ＝４：Ｉ＝｛１，２｝であり、ランク４につき、Ｉ＝｛２，３｝である。
【０１５３】
１つの下位実施形態３−３において、ＵＥは、以下の代案のうち少なくとも一つにより、階層ｉに係わるｎｉ個のビームのインデックスを報告する。
【０１５４】
代案３−３−１の一例：ＵＥは、代案２−１−２、代案２−２−２または代案２−３により、Ｌ個のビームを選択（及び報告）し、その後、階層ｉにつき、Ｌ個の選択されたビームのうちＭ＝ｎｉ個のビームを選択（及び報告）する。一例において、ＰＭＩインデックスｉ１，１は、直交ＤＦＴベースを示し、ＰＭＩインデックスｉ２，２，０は、Ｌ個のビームを示し、ＰＭＩインデックスｉ１，２，１，ｉ１，２，２，…，ｉ１，２，ｖは、階層１，２，…，Ｒそれぞれについて選択されたＭ＝ｎｉ個のビームを示す。
【０１５５】
代案３−３−２の一例において、階層ｉにつき、ＵＥは、代案２−１−１または代案２−２−１により、直接Ｍ＝ｎｉ個のビームを選択（及び報告）する。一例において、ＰＭＩインデックスｉ１，１は、直交ＤＦＴベースを示し、ＰＭＩインデックスｉ１，２，１，ｉ１，２，２，…，ｉ１，２，ｖは、階層１，２，…，Ｒそれぞれについて選択されたＭ＝ｎｉ個のビームを示す。
【０１５６】
実施形態４において、ＵＥは、（上位階層シグナリングを介して）高解像度（例えば、タイプＩＩ）ＣＳＩを報告するように構成され、ここで、タイプＩＩ ＣＳＩを報告するためのコードブックは、デュアルステージＷ＝Ｗ１Ｗ２であり、第２ステージ（Ｗ２）は、次のような代案のうち少なくとも一つにより、線形結合／和のための係数（例えば、ＷＢ振幅係数
【数２５】
2021530925.tif 000029
、ＳＢ振幅係数
【数２６】
2021530925.tif 000030
及び／またはＳＢ位相係数
【数２７】
2021530925.tif 000031
）を選択する。
【０１５７】
代案４−１の一例において、ＬＣのための係数の個数は、階層にわたって同一である。それは、係数を報告するためのペイロード（ビット数）が、各階層に同一であるということを意味する。
【０１５８】
代案４−２の一例において、ＬＣのための係数の個数は、階層にわたっても異なっている。それは、係数を報告するためのペイロード（ビット数）が各階層にわたって可変になりうるということを意味する。ＬＣのためのビームの個数は、２つのアンテナ極性について異なりうるということ（すなわち、数式１の２つの合算式それぞれの項の個数が異なりうる）と知らなければならない。
【０１５９】
１つの下位実施形態４−１において、Ｌ≦ａである場合、ＬＣのための係数の個数は、代案４−１により、Ｌ＞ａである場合には、代案４−２による。例えば、ランク３−４タイプＩＩ ＣＳＩ報告のために、Ｌ＝２である場合、ＬＣのための係数の個数は、代案４−１により、Ｌ＞２（例えば、３−４）である場合には、代案４−２による。
【０１６０】
ｍｉが、階層ｉの前置コーディングベクトルを得るためのＬＣのための係数の個数であると言うことができる。
【０１６１】
１つの下位実施形態４−２において、ランクＲにおいて、同一／同一ではない係数の個数（代案４−２による）に係わる候補／仮説は、以下の条件に基づいて決定される。
【０１６２】
一例において、係数の総数は、固定され、すなわち、
【数２８】
2021530925.tif 000032
であり、ここで、βは、固定される。例えば、Ｒ＞２につき、β＝１４であり、それは、ランク２に係わる係数の総数の最大値に該当する（Ｌ＝４に相当する）。
【０１６３】
一例において、係数の個数は、階層について増加せず、すなわち、ｍ１≧ｍ２≧...≧ｍＲである。
【０１６４】
【表３】
2021530925.tif 000033
【０１６５】
【表４】
2021530925.tif 000034
【０１６６】
Ｒ＝３−４及びＬ＝２−４に係わる例が、表３及び表４に見られる。Ｌ＝２において、係数の個数に係わる唯一の仮説／候補だけが存在し（代案４−１に該当する）、Ｌ＝３−４については、インデックスＩと指示される多数の仮説／候補が存在する。インデックスＩは、以下の代案のうち少なくとも一つによって決定される。
【０１６７】
代案４−２−１の一例において、ただ１つのインデックスＩが支援される。例えば、ランク３につき、Ｌ＝２：Ｉ＝７であり、ランク４につき、Ｉ＝１６であり、ランク３につき、Ｌ＝３：Ｉ＝６であり、ランク４につき、Ｉ＝１５であり、ランク３につき、Ｌ＝４：Ｉ＝６であり、ランク４につき、Ｉ＝１５である。
【０１６８】
代案４−２−２の一例において、ＵＥは、選好するインデックスＩを報告する。一例において、そのような報告は、ＷＢ方式により、他のＷＢ ＰＭＩインデックス（例えば、ｉ１，３，ｌ）と共同に、あるいは新たなＷＢ ＰＭＩ（例えば、ｉ１，５，ｌ）によってなる。他の例において、そのような報告は、ＳＢごとに、他のＳＢ ＰＭＩインデックス（例えば、ｉ２，１，ｌ）と共同に、あるいは新たなＳＢ ＰＭＩ（例えば、ｉ２，３，ｌ）によってなる。
【０１６９】
代案４−２−３の一例において、インデックスＩは、（例えば、上位階層ＲＲＣシグナリングを介して）他の上位階層パラメータ（例えば、Ｌ）と共同に、あるいは新たな上位階層パラメータ（例えば、coefficientAllocation）として設定される。
【０１７０】
変形例として、係数の数に係わる候補／仮説の集合は、全ての可能な候補の部分集合である。そのような部分集合は、固定されるか、あるいは上位階層にも設定される。該部分集合が最大８個の仮説を含む一例は、次の通りである。
【０１７１】
一例において、ランク３につき、Ｌ＝３：Ｉ＝６であり、ランク４につき、Ｉ＝｛６，７，１０，１２−１５｝である。他の例において、ランク３につき、Ｌ＝４：Ｉ＝｛０−６｝であり、ランク４につき、Ｉ＝｛８−１５｝である。
【０１７２】
Ｒ＝５−８及びＬ＝２−４に係わる他の例が、表５及び表６に見られる。多数の候補／仮説が可能である場合、それらのうち一つは、代案４−２−１，４−２−２及び４−２−３のうち少なくとも一つによって決定される。
【０１７３】
【表５−１】
2021530925.tif 000035
【表５−２】
2021530925.tif 000036
【表５−３】
2021530925.tif 000037
【表５−４】
2021530925.tif 000038
【０１７４】
【表６】
2021530925.tif 000039
【０１７５】
１つの下位実施形態４−３において、ＵＥは、以下の代案のうち少なくとも一つにより、階層ｉに係わるｍｉ個の係数のインデックスを報告する。
【０１７６】
代案４−３−１の一例：ＵＥは、代案２−１−２、代案２−２−２または代案２−３により、Ｌ個のビームを選択（及び報告）し、その後、階層ｉにつき、２Ｌ個の係数のうちｍｉ個の係数を選択（及び報告）する。一例において、ＰＭＩインデックスｉ１，１は、直交ＤＦＴベースを示し、ＰＭＩインデックスｉ１，２（または、ｉ１，２，０）は、Ｌ個のビームを示し、ＰＭＩインデックスｉ１，３，１，ｉ１，３，２，…，ｉ１，３，ｖ（または、ｉ１，２，１，ｉ１，２，２，…，ｉ１，２，ｖ）は、階層１，２，…，Ｒそれぞれについて選択されたｍｉ個の係数を示す。
【０１７７】
代案４−３−２の一例において、階層ｉにつき、ＵＥは、（代案２−１−１または代案２−２−１と類似する）２Ｎ１Ｎ２係数のうちから、直接ｍｉ個の係数を選択（及び報告）する。一例において、ＰＭＩインデックスｉ１，１は、直交ＤＦＴベースを示し、ＰＭＩインデックスｉ１，２，１，ｉ１，２，２，…，ｉ１，２，ｖ（または、ｉ１，３，１，ｉ１，３，２，…，ｉ１，３，ｖ）は、階層１，２，…，Ｒそれぞれについて選択されたｎｉ個の係数を示す。
【０１７８】
実施形態１／２／３／４の変形例である一実施形態Ａにおいて、ＵＥは、階層ｌに係わる前置コーディングベクトルが
【数２９】
2021530925.tif 000040
で与えられるポート選択と共に、タイプＩＩ ＣＳＩ報告のために「TypeＩＩ−PortSelection」に設定された上位階層パラメータCodebookTypeに設定され、ここで、
【数３０】
2021530925.tif 000041
前述のところで定義された通りであり、ｖｍは、元素(mmodPCSI-RS/2)に値１を含み、他のところにおいては、０を含む（第１元素は、元素０である）PCSI-RS/2元素列（column）ベクトルである。ベクトルｖｍは、PCSI-RS/2個のアンテナポートのうち１個を選択する選択ベクトルであり、このとき、PCSI-RSは、ＣＳＩ−ＲＳポートの個数である。アンテナポートが二重極性によってなっていれば、ｖｍが二重極性アンテナポート対を選択する。それぞれの階層ごとに、極性当たりＬ個のアンテナポートがインデックスｉ１，ｌ＝ｑ１によって選択され、ここで、
【数３１】
2021530925.tif 000042
（これは、
【数３２】
2021530925.tif 000043
個のビットを要する）であり、ｄの値は、上位階層パラメータPortSelectionSamplingSizeに設定され、このとき、ｄ∈｛１,２,３,４｝であり、
【数３３】
2021530925.tif 000044
である。従って、与えられた階層につき、２Ｌ個のアンテナポートが選択される。
【０１７９】
（前述の）本開示の全ての実施形態（例えば、１／２／３／４）、下位実施形態、代案、及び例は、ビーム選択（数式１の
【数３４】
2021530925.tif 000045
）を、ポート選択（数式２の
【数３５】
2021530925.tif 000046
）に置き換えることにより、そのようなポート選択ケースにも拡張される。特に、ポート選択
【数３６】
2021530925.tif 000047
の実施形態２の拡張は、階層に固有であるか（代案２−１）、階層・対に固有であるか（代案２−２）、あるいは階層に共通する（代案２−３）実施形態にも該当する。同様に、選択されたポートが線形結合される実施形態３の拡張は、階層ごとに同一数のポート（代案３−１）、または階層ごとに同一ではない数のポート（代案３−２）の実施形態にも該当する。同様に、選択されたポートが線形結合される実施形態３の拡張は、階層ごとに同一数の係数（代案３−１）、または階層ごとに同一ではない数の係数（代案３−２）の実施形態にも該当する。実施形態２／３／４／の細部内容は、そのようなポート選択ケースにも即座に適用される。
【０１８０】
前述の実施形態は、線形結合基盤タイプＩＩ ＣＳＩ報告フレームワーク（前述のところで考慮される）が、第１アンテナポート次元及び第２アンテナポート次元以外に、周波数次元を含むように拡張されるタイプＩＩ ＣＳＩ報告の拡張例にも適用される。そのような拡張例において、ＵＥは、線形結合基盤タイプＩＩ ＣＳＩ報告フレームワークが、第１アンテナポート次元及び第２アンテナポート次元以外に、周波数次元を含むように拡張される高解像度（例えば、タイプＩＩ）ＣＳＩ報告に設定される。
【０１８１】
図１３は、本開示の実施形態による例示的ＤＦＴビーム１３００の３Ｄグリッドを図示する。図１３に図示されたＤＦＴビーム１３００の３Ｄグリッドの実施形態は、ただ例示のためのものである。図１３は、ある特定具現例であり、本開示の範囲を限定するものではない。
【０１８２】
オーバーサンプリングされたＤＦＴビームの３Ｄグリッドに係わる例示（第１ポート次元（１ｓｔ port ｄｉｍ．）、第２ポート次元（２ｎｄ port ｄｉｍ．）、周波数（ｆｒｅｑ．）次元（ｄｉｍ．））が図１３に図示され、ここで、第１次元は、第１ポート次元と係わり、第２次元は、第２ポート次元と係わり、第３次元は、周波数次元と係わる。
【０１８３】
第１ポート次元表現及び第２ポート次元表現のためのベース集合は、それぞれ長さＮ１及び長さＮ２、そしてそれぞれオーバーサンプリングファクタ０１及び０２を有するオーバーサンプリングされたＤＦＴコードブックである。同様に、周波数ドメイン表現（すなわち、第３次元）のためのベース集合は、長さＮ３及びオーバーサンプリングファクタ０３を有するオーバーサンプリングされたＤＦＴコードブックである。一例において、Ｏ１＝Ｏ２＝Ｏ３＝４である。他の例において、オーバーサンプリングファクタ０ｉは、｛２，４，８｝に属する。さらに他の例において、０１、０２及び０３のうち少なくとも一つは、上位階層に（ＲＲＣシグナリングを介して）設定される。
【０１８４】
ＵＥは、改善されたタイプＩＩ ＣＳＩ報告のために、「TypeＩＩ−Compression」または「TypeＩＩＩ」にセッティングされた上位階層パラメータCodebookTypeに設定され、このとき、全てのＳＢ、及び与えられた階層ｌ＝１，…，ｖにつき、前置コーダは、次のように与えられ、ｖは、関連ＲＩ値である：
【０１８５】
【数３７】
2021530925.tif 000048
または
【０１８６】
【数３８】
2021530925.tif 000049
【０１８７】
数式１及び数式２で、Ｎ１は、第１アンテナポート次元内アンテナポートの数であり、Ｎ２は、第２アンテナポート次元内アンテナポートの数であり、Ｎ３は、（ＣＳＩ報告帯域を含む）ＰＭＩ報告のためのＳＢまたは周波数ドメインユニットの個数であり、ａｉは、２Ｎ１Ｎ２ｘ１（数式１）またはＮ１Ｎ２ｘ１列ベクトルであり、ｂｋは、Ｎ３ｘ１列ベクトルであり、ｃｌ,ｉ,ｋは、複素係数である。
【０１８８】
変形例において、サブセットＫ＜２ＬＭ係数を報告するとき（Ｋは、固定されるか、ｇＮＢによって設定されるか、あるいはＵＥによって報告される）、前置コーダ数式１または前置コーダ数式２で、係数ｃｌ,ｉ,ｍが
【数３９】
2021530925.tif 000050
で置き換えられ、このとき、係数ｃｌ,ｉ,ｍが本開示の一部実施形態により、ＵＥによって報告される場合、ｖｌ,ｉ,ｍ＝１であり、他の場合（すなわち、ｃｌ,ｉ,ｍがＵＥによって報告されない）、ｖｌ,ｉ,ｍ＝０である。
【０１８９】
ｖｌ,ｉ,ｍ＝１であるか０であるかということに係わる指示は、長さ２ＬＭのビットマップに基づく。変形例において、前置コーダ数式である数式１または数式２は、それぞれ次のように一般化される：
【０１９０】
【数４０】
2021530925.tif 000051
及び
【０１９１】
【数４１】
2021530925.tif 000052
【０１９２】
数式３及び数式４で、与えられたｉにつき、ベースベクトルの個数は、Ｍｉであり、対応するベースベクトルは、｛ｂｉ,ｍ｝である。Ｍｉは、与えられたｉにつき、ＵＥが報告する係数ｃｌ,ｉ,ｍの個数であり、Ｍｉ≦Ｍである（ここで、｛Ｍｉ｝またはΣＭｉは、固定されるか、ｇＮＢによって設定されるか、あるいはＵＥによって報告される）。
【０１９３】
Ｗｌの列は、ノルム（norm）１に正規化される。ランクＲまたはＲ階層（ｖ＝Ｒ）につき、前置コーディング行列は、
【数４２】
2021530925.tif 000053
で与えられる。数式２が、本開示の残り部分において取られる。本開示の実施形態は、しかし一般的であるので、数式１または数式３または数式４にも適用される。
【０１９４】
ここで、Ｌ／２Ｎ１Ｎ２であり、Ｋ／Ｎ３である。Ｌ＝２Ｎ１Ｎ２であるならば、Ａは、単位行列であるので、報告されない。同様に、Ｋ＝Ｎ３であるならば、Ｂは、単位行列であるので、報告されない。Ｌ＜２Ｎ１Ｎ２と仮定するとき、一例において、Ａの列を報告するためには、オーバーサンプリングされたＤＦＴコードブックが使用される。例えば、ａｉ＝ｖｌ,ｍであり、このとき、ｖｌ,ｍの数量は、次のように与えられる：
【０１９５】
【数４３】
2021530925.tif 000054
【０１９６】
同様に、Ｋ＜Ｎ３と仮定するとき、一例において、Ｂの列を報告するためには、オーバーサンプリングされたＤＦＴコードブックが使用される。例えば、ｂｋ＝ｗｋであり、このとき、ｗｋの数量は、
【数４４】
2021530925.tif 000055
で与えられる。
【０１９７】
他の例において、離散コサイン変換ＤＣＴベースが、第３次元に係わるベースＢを構築／報告するのに使用される。ＤＣＴ圧縮行列のｍ列目は、簡単に
【数４５】
2021530925.tif 000056
と与えられる。
【０１９８】
ＤＣＴが実数値の係数に適用されるので、ＤＣＴは、それぞれ（チャネルまたはチャネル固有ベクトルの）実数成分と虚数成分とに適用される。それと異なり、ＤＣＴは、それぞれ（チャネルまたはチャネル固有ベクトルの）大きさ及び位相成分に適用される。ＤＦＴベースまたはＤＣＴベースの使用は、ただ例示的な目的のためのものである。本開示は、Ａ及びＢを構築／報告するために、いかなる他のベースベクトルにも適用されうる。
【０１９９】
また、他の例において、相互関係基盤のタイプＩＩ ＣＳＩ報告のために、ＵＥは、ポート選択と共に、改善されたタイプＩＩ ＣＳＩ報告のための「TypeＩＩ−PortSelection−Compression」または「TypeＩＩＩ−PortSelection」にセッティングされた上位階層パラメータCodebookTypeに設定され、このとき、全てのＳＢ、及び与えられた階層ｌ＝１，…，ｖに係わる前置コーダは、Ｗｌ＝ＡＣｌＢＨと与えられ、ｖは、関連ＲＩ値であり、Ｎ１、Ｎ２、Ｎ３及びｃｌ,ｉ,ｋは、行列Ａが、ポート選択ベクトルを含むということを除けば、前述のように定義される。
【０２００】
例えば、極性当たりＬ個のアンテナポート、またはＡの列ベクトルが、インデックスｑｌによって選択され、ここで、
【数４６】
2021530925.tif 000057
（これは、
【数４７】
2021530925.tif 000058
個のビットを要する）であり、ｄの値は、上位階層パラメータPortSelectionSamplingSizeに設定され、このとき、ｄ∈｛１,２,３,４｝であり、
【数４８】
2021530925.tif 000059
である。Ａの列を報告するために、ポート選択ベクトルが使用される。例えば、ａｉ＝ｖｍであり、ここで、数量ｖｍは、元素（ｍ ｍｏｄ PCSI-RS/2）に１値を含み、他のところにおいては、０を含む（最初元素は、元素０である）PCSI-RS/2元素列ベクトルである。
【０２０１】
上位レベル上において、前置コーダＷｌは、次のように記述され、
【０２０２】
【数４９】
2021530925.tif 000060
【０２０３】
ここで、Ａ＝Ｗ１は、タイプＩＩコードブック内Ｗ１に対応し、Ｂ＝Ｗｊである。
【数５０】
2021530925.tif 000061
行列は、要求される全ての線形組み合わせ係数（例えば、振幅及び位相、または実数または虚数）からなる。
【０２０４】
前述の実施形態（例えば、実施形態１−４及び実施形態Ａ）は、周波数ドメイン（ＦＤ）のタイプＩＩ ＣＳＩ拡張にも適用されうる。特に、実施形態２−４及び実施形態Ａは、それぞれ、以下で説明する実施形態２Ｘ−４Ｘ及び実施形態ＡＸに拡張される。
【０２０５】
実施形態２Ｘにおいて、ＵＥは、（上位階層シグナリングを介して）高解像度（別名として、タイプＩＩ）ＣＳＩを報告するように構成され、このとき、タイプＩＩ ＣＳＩを報告するためのコードブックは、トリプル（triple）ステージ
【数５１】
2021530925.tif 000062
であり、第１ステージ（Ｗ１）は、以下のような代案、下位代案、または実施形態２の例のうち少なくとも一つにより、線形組み合わせ／合算（ＬＣ）するアンテナポートまたは空間ドメイン（ＳＤ）ベースベクトルまたはビーム（例えば、ＤＦＴビーム
【数５２】
2021530925.tif 000063
）を選択し、第３ステージ（Ｗｆ）は、以下の代案のうち少なくとも一つにより、線形組み合わせ／合算（ＬＣ）する周波数ドメイン（ＦＤ）ベースベクトルまたはビーム（例えば、ＤＦＴビームｗｋ）を選択する。
【０２０６】
代案２Ｘ−１（階層固有のビーム選択）の一例においては、それぞれの階層ごとに、次のような下位代案のうち少なくとも一つにより、ＬＣのためのＮ個のＦＤベースベクトルまたはビームが選択される。
【０２０７】
代案２Ｘ−１−１の一例において、Ｎ個のビームが、全階層について共通するＭ個のビーム（Ｍ≧Ｎ）から選択され、Ｎ３個のビームを含む直交ＤＦＴベースから選択される。一例において、ＰＭＩインデックスｉ１，１は、直交ＤＦＴベースを示し、ＰＭＩインデックスｉ２，２，０は、Ｍ個のビームを示し、ＰＭＩインデックスｉ１，２，１，ｉ１，２，２，…，ｉ１，２，ｖは、階層１，２，…，Ｒそれぞれについて選択されたＮ個のビームを示す。
【０２０８】
代案２Ｘ−１−２の１つの場合において、Ｎ３個のビームを含む直交ＤＦＴベースから、Ｍ＝Ｎ個のビームが選択される。一例において、ＰＭＩインデックスｉ１，１は、直交ＤＦＴベースを示し、ＰＭＩインデックスｉ１，２，１，ｉ１，２，２，…，ｉ１，２，ｖは、階層１，２，…，ｖそれぞれについて選択されたＮ個のビームを示す。
【０２０９】
代案２Ｘ−１Ａ（階層固有のビーム選択）の一例においては、それぞれの階層ごとに、次のような下位代案のうち少なくとも一つにより、ＬＣのためのＮ１個のＦＤベースベクトルまたはビームが選択される。
【０２１０】
代案２Ｘ−１Ａ−１の一例において、Ｎ１個のビームが、全階層について共通するＭ個のビーム（Ｍ≧Ｎ１）から選択され、Ｎ３個のビームを含む直交ＤＦＴベースから選択される。一例において、ＰＭＩインデックスｉ１，１は、直交ＤＦＴベースを示し、ＰＭＩインデックスｉ２，２，０は、Ｍ個のビームを示し、ＰＭＩインデックスｉ１，２，１，ｉ１，２，２，…，ｉ１，２，ｖは、階層１，２，…，Ｒ＝ｖそれぞれについて選択されたＮ１個のビームを示す。
【０２１１】
代案２Ｘ−１Ａ−２の１つの場合において、Ｎ３個のビームを含む直交ＤＦＴベースからＮ１個のビームが選択される。一例において、ＰＭＩインデックスｉ１，１は、直交ＤＦＴベースを示し、ＰＭＩインデックスｉ１，２，１，ｉ１，２，２，…，ｉ１，２，ｖは、階層１，２，…，Ｒ＝ｖそれぞれについて選択されたＮ１個のビームを示す。
【０２１２】
代案２Ｘ−２（階層・対固有のビーム選択）の一例においては、連続階層（ｉ，ｉ＋１）に係わるそれぞれの対ごとに、次のような下位代案のうち少なくとも一つにより、ＬＣのためのＮ個のＦＤベースベクトルまたはビームが選択される。
【０２１３】
代案２Ｘ−２−１の一例において、Ｎ個のビームが、連続階層の全ての対について共通するＭ個のビーム（Ｍ＝Ｎ）から選択され、Ｎ３個のビームを含む直交ＤＦＴベースから選択される。一例において、ＰＭＩインデックスｉ１，１は、直交ＤＦＴベースを示し、ＰＭＩインデックスｉ２，２，０は、Ｍ個のビームを示し、ＰＭＩインデックス
【数５３】
2021530925.tif 000064
は、階層対（１，２），（３，４），…それぞれについて選択されたＮ個のビームを示す。
【０２１４】
代案２Ｘ−２−２の１つの場合において、Ｎ３個のビームを含む直交ＤＦＴベースから、Ｍ＝Ｎ個のビームが選択される。一例において、ＰＭＩインデックスｉ１，１は、直交ＤＦＴベースを示し、ＰＭＩインデックス
【数５４】
2021530925.tif 000065
は、階層対（１，２），（３，４），…それぞれについて選択されたＮ個のビームを示す。
【０２１５】
代案２Ｘ−２Ａ（階層・対固有のビーム選択）の一例においては、連続階層（ｉ，ｉ＋１）に係わるそれぞれの対（l）ごとに、次のような下位代案のうち少なくとも一つにより、ＬＣのためのＮ１個のＦＤベースベクトルまたはビームが選択される。
【０２１６】
代案２Ｘ−２Ａ−１の一例において、Ｎ１個のビームが、連続階層の全ての対について共通するＭ個のビーム（Ｍ＝Ｎ１）から選択され、Ｎ３個のビームを含む直交ＤＦＴベースから選択される。一例において、ＰＭＩインデックスｉ１，１は、直交ＤＦＴベースを示し、ＰＭＩインデックスｉ２，２，０は、Ｍ個のビームを示し、ＰＭＩインデックス
【数５５】
2021530925.tif 000066
は、階層対（１，２），（３，４），…それぞれについて選択されたＮ１個のビームを示す。
【０２１７】
代案２Ｘ−２Ａ−２の１つの場合において、Ｎ３個のビームを含む直交ＤＦＴベースから、Ｎ１個のビームが選択される。一例において、ＰＭＩインデックスｉ１，１は、直交ＤＦＴベースを示し、ＰＭＩインデックス
【数５６】
2021530925.tif 000067
は、階層対（１，２），（３，４），…それぞれについて選択されたＮ１個のビームを示す。
【０２１８】
代案２Ｘ−３（階層共通のビーム選択）の一例においては、全階層につき、Ｎ３個のビームを含む直交ＤＦＴベースから、ＬＣのためのＭ＝Ｎ個のＦＤベースベクトルまたはビームが選択される。一例において、ＰＭＩインデックスｉ１，１は、直交ＤＦＴベースを示し、ＰＭＩインデックスｉ１，２は、Ｍ個のビームを示す。
【０２１９】
代案２Ｘ−１−２、代案２Ｘ−２−２及び代案２Ｘ−３につき、値Ｍ＝Ｎは、固定されるか、あるいは上位階層に設定される。代案２Ｘ−１−１及び代案２Ｘ−２−１につき、値Ｍ及びＮは、固定されるか、あるいは上位階層に設定される。代案２Ｘ−１Ａ−１及び代案２Ｘ−２Ａ−１につき、値Ｍ、及び値の集合｛Ｎ１｝は、固定されるか、あるいは上位階層に設定される。それと異なり、代案２Ｘ−１−１及び代案２Ｘ−２−１につき、値Ｍは、上位階層に設定され、Ｎは、固定されるか、あるいはＵＥによって報告される。それと異なり、代案２Ｘ−１Ａ−１及び代案２Ｘ−２Ａ−１につき、値Ｍは、上位階層に設定され、値の集合｛Ｎ１｝は、固定されるか、あるいはＵＥによって報告される。
【０２２０】
一例において、値Ｎは、ランクによって左右される。例えば、Ｎは、ランクによって低減される。例えば、ランク１−２につき、
【数５７】
2021530925.tif 000068
であり、ランク３−４につき、
【数５８】
2021530925.tif 000069
であり、ランク５−８につき、
【数５９】
2021530925.tif 000070
であり、このとき、
【数６０】
2021530925.tif 000071
は、上位階層に設定され、ｐ１≦ｐ, ａｎｄ ｐ２≦ｐ１, ａｎｄ ｐ１ ａｎｄ ｐ２は、（Ｐによって）固定されるか、あるいは上位階層に設定される。他の例において、ＮＳＢは、
【数６１】
2021530925.tif 000072
で置き換えられ、ここで、Ｒは、｛１，２｝から上位階層に設定される。
【０２２１】
一例において、代案２Ｘ−１Ａ及び代案２Ｘ−２Ａにつき、値の集合｛Ｎ｝は、例えば、αが固定される場合、
【数６２】
2021530925.tif 000073
になり、Ｍｍａｘがランク２ ＣＳＩ報告のためのＭの最大値である場合、α＝２Ｍｍａｘになるようにする。
【０２２２】
他の例において、代案２Ｘ−１Ａ及び代案２Ｘ−２Ａにつき、値の集合｛Ｎ１｝は、例えば、αが固定される場合、
【数６３】
2021530925.tif 000074
になり、Ｍｍａｘがランク２ ＣＳＩ報告のためのＭの最大値である場合、α＝２Ｍｍａｘ、ｌ＜ｍにつき、Ｎｌ≧Ｎｍになるようにする。
【０２２３】
他の例において、代案２Ｘ−１Ａ及び代案２Ｘ−２Ａにつき、値の集合｛Ｎ１｝は、例えば、αが固定される場合、
【数６４】
2021530925.tif 000075
になり、Ｍｍａｘがランク２ ＣＳＩ報告のためのＭの最大値である場合、α＝２Ｍｍａｘ、ｌ＜ｍにつき、Ｎｌ≧Ｎｍになるようにする。
【０２２４】
１つの下位実施形態２Ｘ−１において、第３ステージ（Ｗｆ）は、代案２Ｘ−１，２Ｘ−２，２Ｘ−１Ａ，２Ｘ−２Ａ及び／または２Ｘ−３の組み合わせに基づき、ビームを選択する。例えば、階層の部分集合（Ｓ１）に係わるビーム選択は、代案Ｘにより、他の階層の部分集合（Ｓ２）に係わるビーム選択は、代案Ｙによる。一部例は、次の通りである。
【０２２５】
例２Ｘ−１である一例において、Ｓ１＝｛１，２｝、Ｓ２＝｛３，４｝、Ｘ＝２Ｘ−３、そしてＹ＝２Ｘ−１または２Ｘ−１Ａである。例２Ｘ−２である他の例において、Ｓ１＝｛１，２｝、Ｓ２＝｛３，４｝、Ｘ＝２Ｘ−１または２Ｘ−１Ａ、そしてＹ＝２Ｘ−３である。例２Ｘ−３であるさらに他の例において、Ｓ１＝｛１，２｝、Ｓ２＝｛３、８｝、Ｘ＝２Ｘ−３、そしてＹ＝２Ｘ−１または２Ｘ−１Ａである。例２Ｘ−４であるさらに他の例において、Ｓ１＝｛１，２｝、Ｓ２＝｛３、８｝、Ｘ＝２Ｘ−１または２Ｘ−１Ａ、そしてＹ＝２Ｘ−３である。
【０２２６】
１つの下位実施形態２Ｘ−２において、第３ステージ（Ｗｆ）は、値Ｍに基づき、ビームを選択する。Ｍ≦ａである場合、ビーム選択は、代案２Ｘ−２−２により、すなわち、それぞれの連続階層・対（ｉ，ｉ＋１）ごとに、独自にＭ個のビームが選択され、Ｍ＞ａである場合、代案２Ｘ−３により、すなわち、全階層について共通するビームが選択される。
【０２２７】
一例において、ランク３−４タイプＩＩ ＣＳＩ報告のために、Ｍ＝ｍ１である場合、ビーム選択は、代案２Ｘ−２−２により、すなわち、階層・対（１，２）及び（３，４）それぞれにつき、独自にＭ＝２個のビームが選択され、Ｍ＝ｍ２である場合、代案２Ｘ−３により、すなわち、全階層（１，２，３，４）について共通するビームが選択される。一例において、ｍ１＜ｍ２である。
【０２２８】
実施形態３Ｘにおいて、ＵＥは、（上位階層シグナリングを介して）高解像度（例えば、タイプＩＩ）ＣＳＩを報告するように構成され、ここで、タイプＩＩ ＣＳＩを報告するためのコードブックは、トリプルステージ
【数６５】
2021530925.tif 000076
であり、第２ステージ（
【数６６】
2021530925.tif 000077
）は、次のような代案のうち少なくとも一つにより、線形結合／和のための係数（例えば、第１振幅振幅係数
【数６７】
2021530925.tif 000078
、第２振幅係数
【数６８】
2021530925.tif 000079
及び／または位相係数
【数６９】
2021530925.tif 000080
）を選択する。
【０２２９】
代案３Ｘ−１の一例において、ＬＣのためのＳＤビーム（例えば、ＤＦＴビーム
【数７０】
2021530925.tif 000081
）の個数、及びＦＤビーム（例えば、ＤＦＴビームｗｋ）の個数のいずれも、階層にわたって同一であり、それにより、ＬＣのための係数の個数（２ｘＳＤビームの個数ｘＦＤビームの個数に相当する）も、また階層にわたって同一である。それは、結局、係数を報告するためのペイロード（ビット数）が、各階層に同一であるということを意味する。
【０２３０】
代案３Ｘ−２の一例において、ＬＣのためのビーム（例えば、ＤＦＴビーム
【数７１】
2021530925.tif 000082
）の個数や、ＦＤビーム（例えば、ＤＦＴビームｗｋ）の個数は、階層にわたっても異なり、それにより、ＬＣのための係数の個数（２ｘビームの個数ｘＦＤビームの個数に相当する）も、また階層にわたっても異なっている。それは、結局、係数を報告するためのペイロード（ビット数）が各階層にわたって可変になりうるということを意味する。
【０２３１】
ＬＣのためのＳＤビームの個数は、２つのアンテナ極性について同一であると前提されるということ（すなわち、数式１の２つの合算式それぞれの項の個数が、同一であると前提される）を知らなければならない。
【０２３２】
１つの下位実施形態３Ｘ−１ａにおいて、Ｌ≦ａである場合、ＬＣのためのＳＤビームの個数は、代案３Ｘ−１により、Ｌ＞ａである場合には、代案３Ｘ−２による。例えば、ランク３−４タイプＩＩ ＣＳＩ報告のために、Ｌ＝２である場合、ＬＣのためのＳＤビームの個数は、代案３Ｘ−１により、Ｌ＞２（例えば、３−４）である場合には、代案３Ｘ−２による。
【０２３３】
１つの下位実施形態３Ｘ−１ｂにおいて、Ｍ≦ｂである場合、ＬＣのためのＦＤビームの個数は、代案３Ｘ−１により、Ｍ＞ｂである場合には、代案３Ｘ−２による。例えば、ランク３−４タイプＩＩ ＣＳＩ報告のために、Ｍ＝ｍ１である場合、ＬＣのためのビームの個数は、代案３Ｘ−１により、Ｍ＞ｍ１である場合には、代案３Ｘ−２により、ここで、ｍ１は、固定される。
【０２３４】
１つの下位実施形態３Ｘ−１ｃにおいて、Ｌ≦ａ及びＭ≦ｂである場合、ＬＣのためのＳＤビームの個数、及びＦＤビームの個数は、代案３Ｘ−１により、他の場合には、代案３Ｘ−２による。
【０２３５】
１つの下位実施形態３Ｘ−１ｄにおいて、ＬＭ≦ｃの場合、ＬＣのためのＳＤビームの個数、及びＦＤビームの個数は、代案３Ｘ−１により、他の場合には、代案３Ｘ−２による。
【０２３６】
ｎｉが階層ｉの前置コーディングベクトルを得るために、線形的に結合される（合わせられる）ＳＤビームの個数であると言うことができる。ｍｉが階層ｉの前置コーディングベクトルを得るために線形的に結合される（合わせられる）ＦＤビームの個数であると言うことができる。
【０２３７】
１つの下位実施形態３Ｘ−２ａにおいて、ランクＲにおいて、同一／同一ではないビームの個数（代案３Ｘ−２による）に係わる候補／仮説は、以下の条件に基づいて決定される。
【０２３８】
一例において、ＳＤビームの総数は、固定され、すなわち、
【数７２】
2021530925.tif 000083
であり、ここで、αは、固定される。例えば、Ｒ＞２につき、α＝８であり、それは、ランク２に係わるビームの総数の最大値に該当する（Ｌ＝４に相当する）。または、Ｒ＞２につき、α＝１２であり、それは、ランク２に係わるビームの総数の最大値に該当する（Ｌ＝６に相当する）。
【０２３９】
一例において、ＳＤビームの個数は、階層について増加せず、すなわち、ｎ１≧ｎ２≧...≧ｎＲである。
【０２４０】
１つの下位実施形態３Ｘ−２ｂにおいて、ランクＲにおいて、同一／同一ではないビームの個数（代案３Ｘ−２による）に係わる候補／仮説は、以下の条件に基づいて決定される。
【０２４１】
一例において、ＦＤビームの総数は、固定され、すなわち、
【数７３】
2021530925.tif 000084
であり、ここで、γは、固定される。例えば、Ｒ＞２につき、γ＝２ｘＭｍａｘであり、ここで、Ｍｍａｘは、ランク２に係わるＦＤビームの個数（Ｍ）の最大値である。
【０２４２】
一例において、ＦＤビームの個数は、階層について増加せず、すなわち、ｍ１≧ｍ２≧...≧ｍＲである。
【０２４３】
１つの下位実施形態３Ｘ−２ｃにおいて、ランクＲにおいて、同一／同一ではないビームの個数（代案３Ｘ−２による）に係わる候補／仮説は、以下の条件に基づいて決定される。
【０２４４】
一例において、ＳＤビームの総数は、固定され、すなわち、
【数７４】
2021530925.tif 000085
であり、ここで、αは、固定され、ＦＤビームの総数は、固定され、すなわち、
【数７５】
2021530925.tif 000086
であり、ここで、γは、固定される。例えば、Ｒ＞２につき、α＝２ｘＬｍａｘであり、γ＝２ｘＭｍａｘであり、このとき、Ｌｍａｘ及びＭｍａｘは、ランク２に係わるＳＤビームの個数（Ｌ）、及びＦＤビームの個数（Ｍ）の最大値である。
【０２４５】
一例において、ＳＤビームの個数は、階層について増加せず、すなわち、ｎ１≧ｎ２≧...≧ｎＲである。
【０２４６】
一例において、ＦＤビームの個数は、階層について増加せず、すなわち、ｍ１≧ｍ２≧...≧ｍＲである。
【０２４７】
階層にわたって同一ではない数のＳＤビームの例が、Ｒ＝３−８及びＬ＝２−４に係わる表１及び表２に見られる。Ｌ＝２において、ＳＤビームの個数に係わる唯一の仮説／候補だけが存在し（代案３Ｘ−１に該当する）、Ｌ＝３−４については、インデックスＩと指示される多数の仮説／候補が存在する。インデックスＩは、以下の代案のうち少なくとも一つによって決定される。
【０２４８】
代案３Ｘ−２−１の一例において、ただ１つのインデックスＩが支援される。例えば、ランク３−４につき、Ｌ＝２：Ｉ＝３であり、ランク３につき、Ｌ＝３：Ｉ＝２であり、ランク４につき、Ｉ＝３であり、ランク３につき、Ｌ＝４：Ｉ＝２であり、ランク４につき、Ｉ＝３である。
【０２４９】
代案３Ｘ−２−２の一例において、ＵＥは、選好するインデックスＩを報告する。一例において、そのような報告は、ＷＢ方式により、他のＷＢ ＰＭＩインデックス（例えば、ｉ１，３，ｌ）と共同に、あるいは新たなＷＢ ＰＭＩ（例えば、ｉ１，５，ｌ）によってなる。他の例において、そのような報告は、ＳＢごとに、他のＳＢ ＰＭＩインデックス（例えば、ｉ２，１，ｌ）と共同に、あるいは新たなＳＢ ＰＭＩ（例えば、ｉ２，３，ｌ）によってなる。
【０２５０】
代案３Ｘ−２−３の一例において、インデックスＩは、（例えば、上位階層ＲＲＣシグナリングを介して）他の上位階層パラメータ（例えば、Ｌ）と共同に、あるいは新たな上位階層パラメータ（例えば、spatialBeamAllocation）として設定される。
【０２５１】
下位実施形態３Ｘ−２ａａにおいて、ランクＲにおいて、同一／同一ではないビームの個数（代案３Ｘ−２による）に係わる候補／仮説は、次の条件に基づいて決定される：ＳＤビームの総数は、固定され、すなわち、
【数７６】
2021530925.tif 000087
であり、ここで、αである。例えば、Ｒ＞２につき、ランク２に係わるビームの総数の最大値に該当するα＝４Ｌであり、ここで、Ｌは、｛２，４｝または｛２，４，６｝または｛２，３，４｝から上位階層に設定され、ｎｉ≦２Ｌであり、すなわち、それぞれの階層につき、ＳＤベースベクトルの個数は、多いと言っても、ＲＩ＝２に係わるところと同一であり、かつ／またはＳＤビームの個数は、階層によって増加せず、すなわち、ｎ１≧ｎ２≧...≧ｎＲである。
【０２５２】
下位実施形態３Ｘ−２ｂｂにおいて、ランクＲにおいて、同一／同一ではないビームの個数（代案３Ｘ−２による）に係わる候補／仮説は、次の条件に基づいて決定される：ＦＤビームの総数は、固定され、すなわち、
【数７７】
2021530925.tif 000088
であり、ここで、γである。例えば、Ｒ＞２につき、γ＝２Ｍであり、ここで、Ｍは、上位階層に設定される。あるいは、
【数７８】
2021530925.tif 000089
または
【数７９】
2021530925.tif 000090
、このとき、ｐ、ＮＳＢ及びＲは、上位階層に設定され、ｍｉ≦Ｍ、すなわち、それぞれの階層につき、ＦＤベースベクトルの個数は、多いと言っても、ＲＩ＝２に係わる同一であり、かつ／またはＦＤビームの個数は、階層によって増加せず、すなわち、ｍ１≧ｍ２≧...≧ｍＲである。
【０２５３】
１つの下位実施形態３Ｘ−２ｃｃで、ランクＲにおいて、同一／同一ではないビームの個数（代案３Ｘ−２による）に係わる候補／仮説は、以下の条件に基づいて決定される。
【０２５４】
一例において、ＳＤビームの総数は、固定され、すなわち、
【数８０】
2021530925.tif 000091
であり、ここで、αは、固定される。例えば、Ｒ＞２につき、ランク２に係わるビームの総数の最大値に該当するα＝４Ｌであり、このとき、Ｌは、｛２，４｝または｛２，４，６｝または｛２，３，４｝から上位階層に設定される。
【０２５５】
一例において、ｎｉ≦２Ｌであり、すなわち、それぞれの階層ごとに、ＳＤベースベクトルの個数は、多いと言っても、ＲＩ＝２に係わるところと同一である。
【０２５６】
一例において、ＳＤビームの個数は、階層について増加せず、すなわち、ｎ１≧ｎ２≧...≧ｎＲであり、ＦＤビームの総数は、固定され、すなわち、
【数８１】
2021530925.tif 000092
であり、ここで、γは、固定される。例えば、Ｒ＞２につき、γ＝２Ｍであり、ここで、Ｍは、上位階層に設定される。あるいは、
【数８２】
2021530925.tif 000093
または
【数８３】
2021530925.tif 000094
であり、このとき、ｐ、ＮＳＢ及びＲは、上位階層に設定される。
【０２５７】
一例において、ｍｉ≦Ｍであり、すなわち、それぞれの階層ごとに、ＦＤベースベクトルの個数は、多いと言っても、ＲＩ＝２に係わるところと同一である。
【０２５８】
一例において、ＦＤビームの個数は、階層について増加せず、すなわち、ｍ１≧ｍ２≧...≧ｍＲである。
【０２５９】
図１４は、本開示の実施形態による例示的な非均等ＳＤ／ＦＤベース部分集合選択１４００を図示する。図１４に図示された非均等ＳＤ／ＦＤベース部分集合選択１４００の実施形態は、ただ例示のためのものである。図１４は、ある特定具現例であり、本開示の範囲を限定するものではない。
【０２６０】
集合｛ｎｉ｝及び｛ｍｉ｝が階層ｉが増大するとき、増加しない値を含む理由は、階層が強度が低下しないためであり（それは、優勢な固有ベクトルの固有値が増大しないためである）、それにより、さらに強い階層にさらに多くの数のＳＤ／ＦＤベースベクトルが割り当てられうる。それが、ＲＩ＝３について図１４に例示される。
【０２６１】
｛Ｘｉ｝及び｛Ｍｉ｝のいくつかのが、表７ないし表１０に見られる。｛ｎｉ｝（及び／または｛ｍｉ｝）を示すインデックスＩ（及び／またはＪ）は、以下の代案のうち少なくとも一つによって決定される。
【０２６２】
代案３Ｘ−２−ａの一例において、ただ１つのインデックスＩ（及び／またはＪ）が支援される。
【０２６３】
代案３Ｘ−２−ｂの一例において、ＵＥは、選好するインデックスＩ（及び／またはＪ）を報告する。
【０２６４】
代案３Ｘ−２−ｃの一例において、インデックスＩ（及び／またはＪ）は、（例えば、上位階層ＲＲＣシグナリングを介して）既存の上位階層パラメータ（例えば、Ｌまたはｐ）と共同に、あるいは新たな上位階層パラメータとして設定される。
【０２６５】
【表７】
2021530925.tif 000095
【０２６６】
【表８】
2021530925.tif 000096
【０２６７】
【表９】
2021530925.tif 000097
【０２６８】
【表１０】
2021530925.tif 000098
【０２６９】
変形例として、ＳＤビームの数に係わる候補／仮説の集合は、全ての可能な候補の部分集合である。そのような部分集合は、固定されるか、あるいは上位階層にも設定される。該部分集合が最大２個の仮説を含む一例は、次の通りである。ランク３につき、Ｌ＝３：Ｉ＝２であり、ランク４につき、Ｉ＝｛２，３｝であり、ランク３につき、Ｌ＝４：Ｉ＝｛１，２｝であり、ランク４につき、Ｉ＝｛２，３｝である。
【０２７０】
一例において、
【数８４】
2021530925.tif 000099
であり、ここで、
【数８５】
2021530925.tif 000100
は、上位階層に設定される。他の例において、ＮＳＢは、
【数８６】
2021530925.tif 000101
で置き換えられ、ここで、Ｒは、｛１，２｝から上位階層に設定される。そのような例において、Ｍｍａｘは、ｐの最大値（ｐｍａｘと表記する）を選択することによって得られる。ｐｉが階層ｉの前置コーディングベクトルを得るために線形的に結合される（合わせられる）ＦＤビームの個数を決定するためのｐ値であると言うことができる。従って、下位実施形態３Ｘ−２ｂ／２ｃにおける条件ｍ１≧ｍ２≧...≧ｍＲは、ｐ１≧ｐ２≧...≧ｐＲを意味する。
【０２７１】
階層にわたって同一ではない数のＦＤビームの例が、Ｒ＝３−８及び
【数８７】
2021530925.tif 000102
に係わる表１１及び表１２に見られる。
【数８８】
2021530925.tif 000103
において、ＦＤビームの個数に係わる唯一の仮説／候補だけが存在し（代案３Ｘ−１に該当する）、
【数８９】
2021530925.tif 000104
については、インデックスＪと指示される多数の仮説／候補が存在する。インデックスＪは、以下の代案のうち少なくとも一つによって決定される。
【０２７２】
代案３Ｘ−２−４の一例において、ただ１つのインデックスＪが支援される。例えば、ランク３−４につき、
【数９０】
2021530925.tif 000105
：Ｊ＝３であり、ランク３につき、
【数９１】
2021530925.tif 000106
：Ｊ＝２であり、ランク４につき、Ｊ＝３である。
【０２７３】
代案３Ｘ−２−５の一例において、ＵＥは、選好するインデックスＪを報告する。一例において、そのような報告は、ＷＢ方式により、他のＷＢ ＰＭＩインデックス（例えば、ｉ１，３，ｌ）と共同に、あるいは新たなＷＢ ＰＭＩ（例えば、ｉ１，５，ｌ）によってなる。他の例において、そのような報告は、ＳＢごとに、他のＳＢ ＰＭＩインデックス（例えば、ｉ２，１，ｌ）と共同に、あるいは新たなＳＢ ＰＭＩ（例えば、ｉ２，３，ｌ）によってなる。
【０２７４】
代案３Ｘ−２−６の一例において、インデックスＪは、（例えば、上位階層ＲＲＣシグナリングを介して）他の上位階層パラメータ（例えば、ｐ）と共同に、あるいは新たな上位階層パラメータ（例えば、freqBeamAllocation）として設定される。
【０２７５】
変形例として、ＦＤビームの数に係わる候補／仮説の集合は、全ての可能な候補の部分集合である。そのような部分集合は、固定されるか、あるいは上位階層にも設定される。該部分集合が最大２個の仮説を含む一例は、次の通りである。
【数９２】
2021530925.tif 000107
：ランク３につき、Ｊ＝２であり、ランク４につき、Ｊ＝｛２，３｝であり、
【数９３】
2021530925.tif 000108
：ランク３につき、Ｊ＝｛１，２｝であり、ランク４につき、Ｊ＝｛２，３｝である。
【０２７６】
【表１１】
2021530925.tif 000109
【０２７７】
【表１２】
2021530925.tif 000110
【０２７８】
階層にわたって同一ではない数のＦＤビームの例が、Ｒ＝３−４及び
【数９４】
2021530925.tif 000111
に係わる表１３に見られる。
【０２７９】
【表１３】
2021530925.tif 000112
【０２８０】
１つの下位実施形態３Ｘ−３において、ＵＥは、実施形態３−３において、代案３−３−１及び代案３−３−２のうち少なくとも一つにより、階層ｉにつき、ｎｉ個のＳＤビームのインデックスを報告し、以下の代案のうち少なくとも一つにより、階層ｉにつき、ｍｉ個のＦＤビームのインデックスを報告する。
【０２８１】
代案３Ｘ−３−１の一例において、ＵＥは、代案２Ｘ−１−２、代案２Ｘ−２−２または代案２Ｘ−３により、Ｍ個のビームを選択（及び報告）し、その後、階層ｉにつき、Ｍ個の選択されたビームのうち、Ｎ＝ｍｉ個のビームを選択（及び報告）する。一例において、ＰＭＩインデックスｉ１，１は、直交ＤＦＴベースを示し、ＰＭＩインデックスｉ２，２，０は、Ｌ個のビームを示し、ＰＭＩインデックスｉ１，２，１，ｉ１，２，２，…，ｉ１，２，ｖは、階層１，２，…，Ｒそれぞれについて選択されたＮ＝ｍｉ個のビームを示す。
【０２８２】
代案３Ｘ−３−２の一例において、階層ｉにつき、ＵＥは、代案２Ｘ−１−１または代案２Ｘ−２−１により、直接Ｎ＝ｍｉ個のビームを選択（及び報告）する。一例において、ＰＭＩインデックスｉ１，１は、直交ＤＦＴベースを示し、ＰＭＩインデックスｉ１，２，１，ｉ１，２，２，…，ｉ１，２，ｖは、階層１，２，…，Ｒそれぞれについて選択されたＮ＝ｍｉ個のビームを示す。
【０２８３】
実施形態４Ｘにおいて、ＵＥは、（上位階層シグナリングを介して）高解像度（例えば、タイプＩＩ）ＣＳＩを報告するように構成され、ここで、タイプＩＩ ＣＳＩを報告するためのコードブックは、トリプルステージ
【数９５】
2021530925.tif 000113
であり、第２ステージ（
【数９６】
2021530925.tif 000114
）は、次のような代案のうち少なくとも一つにより、線形結合／和のための係数（例えば、第１振幅振幅係数
【数９７】
2021530925.tif 000115
、第２振幅係数
【数９８】
2021530925.tif 000116
及び／または位相係数
【数９９】
2021530925.tif 000117
）を選択する。
【０２８４】
代案４Ｘ−１の一例において、
【数１００】
2021530925.tif 000118
を含むＬＣのための０ではない（ＮＺ）係数の最大個数は、階層にわたって同一である。それは、係数を報告するためのペイロード（ビット数）が、各階層に同一であるということを意味する。
【０２８５】
代案４Ｘ−２の一例において、ＬＣのための
【数１０１】
2021530925.tif 000119
を含むＮＺ係数の最大個数は、階層にわたっても異なっている。それは、係数を報告するためのペイロード（ビット数）が各階層にわたって可変にもなるということを意味する。
【０２８６】
Ｋは、ＵＥが報告することができるＮＺ係数の最大個数であると言うことができる。０である係数は、ＵＥによって報告されない。
【０２８７】
下位実施形態４Ｘ−１ａにおいて、Ｌ≦ａである場合、
【数１０２】
2021530925.tif 000120
を含む係数の個数は、代案４Ｘ−１により、Ｌ＞ａである場合には、代案４Ｘ−２による。例えば、ランク３−４タイプＩＩ ＣＳＩ報告のために、Ｌ＝２である場合、ＬＣのための係数の個数は、代案４Ｘ−１により、Ｌ＞２（例えば、３−４）である場合には、代案４Ｘ−２による。
【０２８８】
１つの下位実施形態４Ｘ−１ｂにおいて、Ｍ＝ｂである場合、
【数１０３】
2021530925.tif 000121
を含む係数の個数は、代案４Ｘ−１により、Ｍ＞ｂである場合には、代案４Ｘ−２による。例えば、ランク３−４タイプＩＩ ＣＳＩ報告のために、Ｍ＝ｍ１である場合、ＬＣのための係数の個数は、代案４Ｘ−１により、Ｍ＞ｍ１である場合には、代案４Ｘ−２により、ここで、ｍ１は、固定される。
【０２８９】
１つの下位実施形態４Ｘ−１ｃにおいて、Ｌ≦ａ及びＭ／ｂである場合、
【数１０４】
2021530925.tif 000122
を含む係数の個数は、代案４Ｘ−１により、他の場合には、代案４Ｘ−２による。
【０２９０】
ｋｉが階層ｉの前置コーディングベクトルを得るために、
【数１０５】
2021530925.tif 000123
を含むＮＺ係数の最大個数であると言うことができる。
【０２９１】
下位実施形態４Ｘ−２において、ランクＲにおいて、同一／同一ではない係数の個数（代案４−Ｘ２による）に係わる候補／仮説は、次の条件に基づいて決定される：ＮＺ係数の総最大数は、固定され、すなわち、
【数１０６】
2021530925.tif 000124
であり、ここで、θは、固定される。例えば、Ｒ＞２につき、θ＝２ｘＫｍａｘであり、ここで、Ｋｍａｘは、ランク１に係わるＮＺ係数の個数の最大値であり、かつ／またはＮＺ係数の最大個数は、階層によって増加せず、すなわち、ｋ１≧ｋ２≧...≧ｋＲである。
【０２９２】
一例において、
【数１０７】
2021530925.tif 000125
であり、ここで、
【数１０８】
2021530925.tif 000126
または
【数１０９】
2021530925.tif 000127
、上位階層に設定される。そのような例において、Ｋｍａｘは、βの最大値（βｍａｘと表記する）、例えば、
【数１１０】
2021530925.tif 000128
を選択することによって得られる。従って、
【数１１１】
2021530925.tif 000129
である。βｉが階層ｉの前置コーディングベクトルを得るために線形的に結合される（合わせられる）ＮＺ係数の最大値を決定するためのβ値であると言うことができる。従って、下位実施形態４Ｘ−２における条件ｋ１≧ｋ２≧...≧ｋＲは、β１≧β２≧...≧βＲを意味する。
【０２９３】
【表１４】
2021530925.tif 000130
【０２９４】
階層にわたって同一ではない数の係数の例が、Ｒ＝３−４及び
【数１１２】
2021530925.tif 000131
に係わる表１４に見られる。
【数１１３】
2021530925.tif 000132
のそれぞれの値ごとの係数の個数につき、唯一の仮説／候補だけが存在するということを知らなければならない。
【０２９５】
一実施形態５において、ＲＩ＝３−４であるとき、ＵＥは、ｇＮＢにおいて、２つのアンテナ極性について共通であるＬ個のＳＤベースベクトルを選択／報告するように設定される。階層ｉ∈｛０,１,..,ＲＩ−１｝につき、ＵＥは、選択された２Ｌ個のＳＤベースベクトルから自由に（限定されない）ｎｉ個のＳＤベクトルを選択し、ここで、ｎｉ≦２Ｌである。以下の代案（Ａｌｔ）のうち少なくとも一つは、全階層ｉ∈｛０,１,..,ＲＩ−１｝につき、ｎｉ個のＳＤベースベクトルを報告するのに使用される。
【０２９６】
代案５−０の一実施形態において、それぞれのＲＩ値ごとに、値の集合｛ｎｉ｝が固定され、それぞれの階層ｉごとに、ｎｉ個の選択されたベースベクトルのインデックスが、次のような代案のうち少なくとも一つによって報告される。
【０２９７】
代案５−０−０の一例において、ｎｉ個の選択されたベースベクトルのインデックスは、長さ２Ｌのビットマップを使用して報告される。代案５−０−１の一例において、ｎｉ個の選択されたベースベクトルのインデックスは、組み合わせインデックス
【数１１４】
2021530925.tif 000133
を使用して報告される。
【０２９８】
代案５−１の一実施形態において、値の集合｛ｎｉ｝は、またＵＥによって報告され、ｎｉ個の選択されたベースベクトルのインデックスが、次のような代案のうち少なくとも一つによって報告される。
【０２９９】
代案５−１−０の一例において、値の集合｛ｎｉ｝、及びｎｉ個の選択されたベースベクトルのインデックスが、ビットマップを使用して共同で報告される。そのような例において、（長さ２Ｌの）独自のビットマップがそれぞれの階層ごとに使用されるので、ビットマップの長さは、２Ｌ×ＲＩである。
【０３００】
代案５−１−１の一例において、値の集合｛ｎｉ｝、及びｎｉ個の選択されたベースベクトルのインデックスが独立して報告される。１つの場合において、値の集合｛ｎｉ｝は、本開示のある実施形態で提案されるようなインデックス（Ｉ）を使用して報告され、それぞれの階層ｉごとに、ｎｉ個の選択されたベースベクトルのインデックスが、長さ２Ｌのビットマップを使用して報告される。他の場合において、値の集合｛ｎｉ｝は、本開示のある実施形態で提案されるようなインデックス（Ｉ）を使用して報告され、それぞれの階層ｉごとに、ｎｉ個の選択されたベースベクトルのインデックスが組み合わせインデックス
【数１１５】
2021530925.tif 000134
を使用して報告される。
【０３０１】
一実施形態５Ａにおいて、ＲＩ＝３−４であるとき、ＵＥは、２Ｌ個のＳＤベースベクトル（実施形態５におけるところと同じである）を選択／報告し、選択された２Ｌ個のＳＤベースベクトルを整列／ソーティング（sort）するように設定され、階層ｉ∈｛０,１,..,ＲＩ−１｝につき、ＵＥは、整列／ソーティングされた２Ｌ個のＳＤベースベクトルから、ｎｉ個のＳＤベースベクトルを選択し、このとき、ｎｉ≦２Ｌである。ＵＥは、２Ｌ個のＳＤベースベクトル、及びそれらの整列／ソーティング情報を共同でも別々にも報告する。
【０３０２】
一例において、２Ｌ個のＳＤベースベクトルの整列／ソーティングは、２Ｌ ＳＤベースベクトルの低減冪数レベル（decreasing power level）による。階層ｉにつき、ＵＥは、最大冪数のＳＤベースベクトルに該当するｎｉ個の「最も強い」ベースベクトルを選択する。
【０３０３】
一実施形態５Ｂにおいて、ＲＩ＝３−４であるとき、ＵＥは、２Ｌ個のＳＤベースベクトル（実施形態５におけるところと同じである）を選択／報告するように設定され、階層ｉ∈｛０,１,..,ＲＩ−１｝につき、ＵＥは、選択された２Ｌ個のＳＤベースベクトルから、次のように、ｎｉ／個のＳＤベースベクトルを選択し、このとき、ｎｉ≦２Ｌである。ＵＥは、（ベースベクトルインデックスｉ＝（０，１，…，Ｌ−１）に対応する）第１アンテナ極性に係わるｎｉ,１個のＳＤベースベクトル、及び（ベースベクトルインデックスｉ＝Ｌ，Ｌ＋１，…２Ｌ−１に対応する）第２アンテナ極性に係わるｎｉ,２個のＳＤベースベクトルを選択し、ｎｉ,１,ｎｉ,２≦Ｌ, ｎｉ,１＋ｎｉ,２＝ｎｉ及び(ｎｉ,１, ｎｉ,２), ｏｒ (ｎｉ, ｎｉ,２) ｏｒ (ｎｉ,１, ｎｉ)、固定されるか、設定されるか、あるいはＵＥによって報告される。値ｎｉ,１及びｎｉ,２は、以下の例のうち少なくとも一つによって決定される。
例５Ｂ−０の一例において、
【数１１６】
2021530925.tif 000135
及び
【数１１７】
2021530925.tif 000136
である。
【０３０４】
例５Ｂ−１の一例において、
【数１１８】
2021530925.tif 000137
及び
【数１１９】
2021530925.tif 000138
である。
【０３０５】
例５Ｂ−２の一例において、
【数１２０】
2021530925.tif 000139
及び
【数１２１】
2021530925.tif 000140
である。
【０３０６】
例５Ｂ−３の一例において、
【数１２２】
2021530925.tif 000141
及び
【数１２３】
2021530925.tif 000142
である。
【０３０７】
例５Ｂ−４の一例において、階層ｉにつき、最も強い係数指示子（ＳＣＩ）が、第１アンテナ極性に属する場合、
【数１２４】
2021530925.tif 000143
及び
【数１２５】
2021530925.tif 000144
であり、他の場合、
【数１２６】
2021530925.tif 000145
及び
【数１２７】
2021530925.tif 000146
である。
【０３０８】
例５Ｂ−５の一例において、階層ｉにつき、最も強い係数指示子（ＳＣＩ）が、第２アンテナ極性に属する場合、
【数１２８】
2021530925.tif 000147
及び
【数１２９】
2021530925.tif 000148
、他の場合、
【数１３０】
2021530925.tif 000149
及び
【数１３１】
2021530925.tif 000150
である。
【０３０９】
例５Ｂ−６の一例において、階層ｉにつき、最も強い係数指示子（ＳＣＩ）が、第２アンテナ極性に属する場合、
【数１３２】
2021530925.tif 000151
及び
【数１３３】
2021530925.tif 000152
であり、他の場合、
【数１３４】
2021530925.tif 000153
及び
【数１３５】
2021530925.tif 000154
である。
【０３１０】
以下の代案（Ａｌｔ）のうち少なくとも一つは、全階層ｉ∈｛０,１,..,ＲＩ−１｝につき、（ｎｉ,１,ｎｉ,２個の）ＳＤベースベクトルを報告するのに使用される。
【０３１１】
代案５Ｂ−０の一実施形態において、それぞれのＲＩ値ごとに、値の集合｛（ｎｉ,１,ｎｉ,２）｝が固定され、それぞれの階層ｉごとに、（ｎｉ,１,ｎｉ,２個の）選択されたベースベクトルのインデックスが、次のような代案のうち少なくとも一つによって報告される。
【０３１２】
代案５Ｂ−０−０の一例において、それぞれのｋ∈｛１,２｝ごとに、ｎｉ,ｋ個の選択されたベースベクトルのインデックスは、長さＬのビットマップを使用して報告される。
【０３１３】
代案５Ｂ−０−１の一例において、それぞれのｋ∈｛１,２｝ごとに、ｎｉ,ｋ個の選択されたベースベクトルのインデックスは、組み合わせインデックス
【数１３６】
2021530925.tif 000155
を使用して報告される。
【０３１４】
代案５Ｂ−１の一実施形態において、値の集合｛（ｎｉ,１,ｎｉ,２）｝は、またＵＥによって報告され、（ｎｉ,１,ｎｉ,２）個の選択されたベースベクトルのインデックスが、次のような代案のうち少なくとも一つによって報告される。
【０３１５】
代案５Ｂ−１−０の一例において、それぞれのｋ∈｛１,２｝ごとに、値の集合｛ｎｉ,ｋ｝、及びｎｉ,ｋ個の選択されたベースベクトルのインデックスが、ビットマップを使用して共同で報告される。１つの場合において、（長さＬの）独自のビットマップが、それぞれの階層ごとに使用されるので、ビットマップの長さは、ＬｘＲＩである。
【０３１６】
代案５Ｂ−１−１の一例において、それぞれのｋ∈｛１,２｝ごとに、値の集合｛ｎｉ,ｋ｝、及びｎｉ,ｋ個の選択されたベースベクトルのインデックスが独自に報告される。１つの場合において、値の集合｛ｎｉ,ｋ｝は、本開示のある実施形態で提案されるようなインデックス（Ｉ）を使用して報告され、それぞれの階層ｉごとに、ｎｉ,ｋ個の選択されたベースベクトルのインデックスが、長さＬのビットマップを使用して報告される。他の場合において、値の集合｛ｎｉ,ｋ｝は、本開示のある実施形態において提案されるようなインデックス（Ｉ）を使用して報告され、それぞれの階層ｉごとに、ｎｉ,ｋ個の選択されたベースベクトルのインデックスが、組み合わせインデックス
【数１３７】
2021530925.tif 000156
を使用して報告される。
【０３１７】
一変形例において、ＲＩ＝３−４であるとき、それぞれのアンテナ極性ｋ∈｛１,２｝につき、ＵＥは、全階層につき、Ｌ個のＳＤベースベクトルを選択／報告し、選択されたＬ個のＳＤベースベクトルを整列／ソーティングするように設定され、階層ｉ∈｛０,１,..,ＲＩ−１｝につき、それぞれのｋ∈｛１,２｝ごとに、ＵＥは、整列／ソーティングされたＬ個のＳＤベースベクトルから、ｎｉ,ｋ個のＳＤベースベクトルを選択し、このとき、ｎｉ,ｋ≦Ｌである。それぞれのｋ∈｛１,２｝ごとにＵＥは、Ｌ個のＳＤベースベクトル、及びそれらの整列／ソーティング情報を共同でも別々にも報告する。
【０３１８】
一例において、Ｌ個のＳＤベースベクトルの整列／ソーティングは、Ｌ個のＳＤベースベクトルの低減冪数レベルによる。階層ｉにつき、ＵＥは、最大冪数のＳＤベースベクトルに該当するｎｉ,ｋ個の「最も強い」ベースベクトルを選択する。
【０３１９】
一実施形態６において、ＲＩ＝３−４であるとき、ＵＥは、全階層につき、Ｌ個のＳＤベースベクトルを選択／報告するように構成され、階層ｉ∈｛０,１,..,ＲＩ−１｝につき、ＵＥは、選択されたＬ個のＳＤベースベクトルから自由に（限定されないで）ｎｉ個のＳＤベースベクトルを選択し、このとき、ｎｉ≦Ｌである。ここで、Ｌ個のＳＤベースベクトルの集合は、ｇＮＢにおいて、２つのアンテナ極性について共通している。同様に、階層ｉに係わるｎｉ個のＳＤベースベクトルの集合も、ｇＮＢにおいて、２つのアンテナ極性について共通している。従って、２つのアンテナ極性にわたったＳＤベースベクトルの個数は、２ｎｉである。以下の代案（Ａｌｔ）のうち少なくとも一つは、全階層ｉ∈｛０,１,..,ＲＩ−１｝につき、ｎｉ個のＳＤベースベクトルを報告するのに使用される。
【０３２０】
代案６−０の一実施形態において、それぞれのＲＩ値ごとに、値の集合｛ｎｉ｝が固定され、それぞれの階層ｉごとに、ｎｉ個の選択されたベースベクトルのインデックスが、次のような代案のうち少なくとも一つによって報告される。
【０３２１】
代案６−０−０の一例において、ｎｉ個の選択されたベースベクトルのインデックスは、長さＬのビットマップを使用して報告される。
代案６−０−１の一例において、ｎｉ個の選択されたベースベクトルのインデックスは、組み合わせインデックス
【数１３８】
2021530925.tif 000157
を使用して報告される。
【０３２２】
任意のｉにつき、ｎｉ＝Ｌであるならば、ｎｉのインデックスを報告する必要がないが、それは、全てのＬ個のＳＤビームが選択されるためである。
【０３２３】
代案６−１の一実施形態において、値の集合｛ｎｉ｝は、またＵＥによって報告され、ｎｉ個の選択されたベースベクトルのインデックスが、次のような代案のうち少なくとも一つによって報告される。
【０３２４】
代案６−１−０の一例において、値の集合｛ｎｉ｝、及びｎｉ個の選択されたベースベクトルのインデックスが、ビットマップを使用して共同で報告される。１つの場合において、（長さＬの）独自のビットマップが、それぞれの階層ごとに使用されるので、ビットマップの長さは、ＬｘＲＩである。
【０３２５】
代案６−１−１の一例において、値の集合｛ｎｉ｝、及びｎｉ個の選択されたベースベクトルのインデックスが独立して報告される。１つの場合において、値の集合｛ｎｉ｝は、本開示のある実施形態において提案されるようなインデックス（Ｉ）を使用して報告され、それぞれの階層ｉごとに、ｎｉ個の選択されたベースベクトルのインデックスが、長さＬのビットマップを使用して報告される。他の場合において、値の集合｛ｎｉ｝は、本開示のある実施形態において提案されるようなインデックス（Ｉ）を使用して報告され、それぞれの階層ｉごとに、ｎｉ個の選択されたベースベクトルのインデックスが、組み合わせインデックス
【数１３９】
2021530925.tif 000158
を使用して報告される。
【０３２６】
任意のｉにつき、ｎｉ＝Ｌであるならば、ｎｉのインデックスを報告する必要がないが、それは、全てのＬ個のＳＤビームが選択されるためである。
【０３２７】
一実施形態６Ａにおいて、ＲＩ＝３−４であるとき、ＵＥは、全階層につき、Ｌ個のＳＤベースベクトルを選択／報告し、選択されたＬ個のＳＤベースベクトルを整列／ソーティングするように設定され、階層ｉ∈｛０,１,..,ＲＩ−１｝につき、ＵＥは、整列／ソーティングされたＬ個のＳＤベースベクトルから、ｎｉ個のＳＤベースベクトルを選択し、このとき、ｎｉ≦Ｌである。ＵＥは、Ｌ個のＳＤベースベクトル、及びそれらの整列／ソーティング情報を共同でも別々にも報告する。
【０３２８】
一例において、Ｌ個のＳＤベースベクトルの整列／ソーティングは、Ｌ個のＳＤベースベクトルの低減冪数レベルによる。階層ｉにつき、ＵＥは、最大冪数のＳＤベースベクトルに該当するｎｉ個の「最も強い」ベースベクトルを選択する。
【０３２９】
一実施形態６Ｂにおいて、ＲＩ＝３−４であるとき、ＵＥは、全階層につき、Ｌ個のＳＤベースベクトルを選択／報告するように構成され、階層ｉ∈｛０,１,..,ＲＩ−１｝につき、ＵＥは、選択されたＬ個のＳＤベースベクトルから、次のようにｎｉ個のＳＤベースベクトルを選択し、このとき、ｎｉ≦Ｌ（または、オプションとしてｎｉ≦２Ｌ）である。ＵＥは、（ベースベクトルインデックスｉ＝０，１，…，Ｌ−１に該当する）第１アンテナ極性に係わるｎｉ,１個のＳＤベースベクトル、及び（ベースベクトルインデックスｉ＝Ｌ，Ｌ＋１，…２Ｌ−１に該当する）第２アンテナ極性に係わるｎｉ,２個のＳＤベースベクトルを選択し、このとき、ｎｉ,１,ｎｉ,２≦Ｌ, ｎｉ,１＋ｎｉ,２＝ｎｉであり、(ｎｉ,１, ｎｉ,２)または(ｎｉ, ｎｉ,２)または(ｎｉ,１, ｎｉ)は、固定されるか、設定されるか、あるいはＵＥによって報告される。値ｎｉ,１及びｎｉ,２は、以下の例のうち少なくとも一つによって決定される。
【０３３０】
例６Ｂ−０の一例において、
【数１４０】
2021530925.tif 000159
及び
【数１４１】
2021530925.tif 000160
である。
【０３３１】
例６Ｂ−１の一例において、
【数１４２】
2021530925.tif 000161
及び
【数１４３】
2021530925.tif 000162
である。
【０３３２】
例６Ｂ−２の一例において、
【数１４４】
2021530925.tif 000163
及び
【数１４５】
2021530925.tif 000164
である。
【０３３３】
例６Ｂ−３の一例において、
【数１４６】
2021530925.tif 000165
及び
【数１４７】
2021530925.tif 000166
である。
【０３３４】
例６Ｂ−４の一例において、階層ｉにつき、最も強い係数指示子（ＳＣＩ）が、第１アンテナ極性に属する場合、
【数１４８】
2021530925.tif 000167
及び
【数１４９】
2021530925.tif 000168
であり、他の場合、
【数１５０】
2021530925.tif 000169
及び
【数１５１】
2021530925.tif 000170
である。
【０３３５】
例６Ｂ−５の一例において、階層ｉにつき、最も強い係数指示子（ＳＣＩ）が、第２アンテナ極性に属する場合、
【数１５２】
2021530925.tif 000171
及び
【数１５３】
2021530925.tif 000172
であり、他の場合、
【数１５４】
2021530925.tif 000173
及び
【数１５５】
2021530925.tif 000174
である。
【０３３６】
例６Ｂ−６の一例において、階層ｉにつき、最も強い係数指示子（ＳＣＩ）が、第１アンテナ極性に属する場合、
【数１５６】
2021530925.tif 000175
及び
【数１５７】
2021530925.tif 000176
であり、他の場合、
【数１５８】
2021530925.tif 000177
及び
【数１５９】
2021530925.tif 000178
である。
【０３３７】
例６Ｂ−７の一例において、階層ｉにつき、最も強い係数指示子（ＳＣＩ）が、第２アンテナ極性に属する場合、
【数１６０】
2021530925.tif 000179
及び
【数１６１】
2021530925.tif 000180
であり、他の場合、
【数１６２】
2021530925.tif 000181
及び
【数１６３】
2021530925.tif 000182
である。
【０３３８】
以下の代案（Ａｌｔ）のうち少なくとも一つは、全階層ｉ∈｛０,１,..,ＲＩ−１｝につき、（ｎｉ,１,ｎｉ,２個の）ＳＤベースベクトルを報告するのに使用される。
【０３３９】
代案６Ｂ−０の一実施形態において、それぞれのＲＩ値ごとに、値の集合｛ｎｉ,１,ｎｉ,２｝が固定され、それぞれの階層ｉごとに、（ｎｉ,１,ｎｉ,２個の）選択されたベースベクトルのインデックスが、次のような代案のうち少なくとも一つによって報告される。
代案６Ｂ−０−０の一例において、それぞれのｋ∈｛１,２｝ごとに、ｎｉ,ｋ個の選択されたベースベクトルのインデックスは、長さＬのビットマップを使用して報告される。
代案６Ｂ−０−１の一例において、それぞれのｋ∈｛１,２｝ごとに、ｎｉ,ｋ個の選択されたベースベクトルのインデックスは、組み合わせインデックス
【数１６４】
2021530925.tif 000183
を使用して報告される。
【０３４０】
代案６Ｂ−１の一実施形態において、値の集合｛（ｎｉ,１,ｎｉ,２）｝は、またＵＥによって報告され、（ｎｉ,１,ｎｉ,２）個の選択されたベースベクトルのインデックスが、次のような代案のうち少なくとも一つによって報告される。
【０３４１】
代案６Ｂ−１−０の一例において、それぞれのｋ∈｛１,２｝ごとに、値の集合｛ｎｉ,ｋ｝、及びｎｉ,ｋ個の選択されたベースベクトルのインデックスが、ビットマップを使用して共同で報告される。１つの場合において、（長さＬの）独自のビットマップが、それぞれの階層ごとに使用されるので、ビットマップの長さは、ＬｘＲＩである。
【０３４２】
代案６Ｂ−１−１の一例において、それぞれのｋ∈｛１,２｝ごとに、値の集合｛ｎｉ,ｋ｝、及びｎｉ,ｋ個の選択されたベースベクトルのインデックスが独自に報告される。１つの場合において、値の集合｛ｎｉ,ｋ｝は、本開示のある実施形態において提案されるようなインデックス（Ｉ）を使用して報告され、それぞれの階層ｉごとに、ｎｉ,ｋ個の選択されたベースベクトルのインデックスが、長さＬのビットマップを使用して報告される。他の場合において、値の集合｛ｎｉ,ｋ｝は、本開示のある実施形態において提案されるようなインデックス（Ｉ）を使用して報告され、それぞれの階層ｉごとに、ｎｉ,ｋ個の選択されたベースベクトルのインデックスが、組み合わせインデックス
【数１６５】
2021530925.tif 000184
を使用して報告される。
【０３４３】
一変形例において、ＲＩ＝３−４であるとき、それぞれのアンテナ極性ｋ∈｛１,２｝につき、ＵＥは、全階層につき、Ｌ個のＳＤベースベクトルを選択／報告し、選択されたＬ個のＳＤベースベクトルを整列／ソーティングするように設定され、階層ｉ∈｛０,１,..,ＲＩ−１｝につき、それぞれのｋ∈｛１,２｝ごとに、ＵＥは、整列／ソーティングされたＬ個のＳＤベースベクトルから、ｎｉ,ｋ個のＳＤベースベクトルを選択し、このとき、ｎｉ,ｋ≦Ｌである。それぞれのｋ∈｛１,２｝ごとにＵＥは、Ｌ個のＳＤベースベクトル、及びそれらの整列／ソーティング情報を共同でも別々にも報告する。
【０３４４】
一例において、Ｌ個のＳＤベースベクトルの整列／ソーティングは、Ｌ個のＳＤベースベクトルの低減冪数レベルによる。階層ｉにつき、ＵＥは、最大冪数のＳＤベースベクトルに該当するｎｉ,ｋ個の「最も強い」ベースベクトルを選択する。
【０３４５】
一実施形態７において、ＵＥは、上位階層シグナリングを介し、パラメータ（Ｌ,ｐ）に設定され、このとき、Ｌは、ＳＤベースベクトルの個数を示し、ｐは、ＦＤベースベクトルの個数Ｍを示す（例えば、
【数１６６】
2021530925.tif 000185
であり、ここで、ＮＳＢは、ＳＢの個数であり、Ｎ３は、ＰＭＩ報告のためのＦＤユニットの個数であり、Ｒは、上位階層パラメータである）。ＲＩ∈｛１，２｝であるとき、それぞれの階層ｌ∈｛０，１｝につき、ＳＤベースベクトルの個数は、Ｌと同じであり、ＦＤベースベクトルの個数は、Ｍと同じである。ＲＩ∈｛３，４｝であるとき、それぞれの階層ｌ∈｛０，１｝ごとに、ＳＤベースベクトルの個数は、Ｌに該当し、ＦＤベースベクトルの個数は、Ｍに該当し、それぞれの階層ｌ∈｛２，３｝ごとに、ＳＤベースベクトルの個数は、Ｌ’に該当し、ＦＤベクトルの個数は、Ｍ’に該当し、このとき、Ｌ’≦Ｌ及びｐ’≦ｐ（ｏｒ Ｍ’≦Ｍ）である。
【０３４６】
以下の代案のうち少なくとも一つが（Ｌ,ｐ）及び（Ｌ’,ｐ’）に使用される。
【０３４７】
一代案（代案７−０）において、（Ｌ,ｐ）及び（Ｌ’,ｐ’）のいずれも、以下の代案のうち少なくとも一つによって固定される。
【０３４８】
代案７−０−０の一例において、
【数１６７】
2021530925.tif 000186
及び
【数１６８】
2021530925.tif 000187
である。
【０３４９】
代案７−０−１の一例において、
【数１６９】
2021530925.tif 000188
及び
【数１７０】
2021530925.tif 000189
である。
【０３５０】
代案７−０−２の一例において、
【数１７１】
2021530925.tif 000190
及び
【数１７２】
2021530925.tif 000191
である。代案７−０−３の一例において、
【数１７３】
2021530925.tif 000192
及び
【数１７４】
2021530925.tif 000193
である。
【０３５１】
一代案（代案７−１）において、
【数１７５】
2021530925.tif 000194
は、固定され、Ｌ＝２が固定され、
【数１７６】
2021530925.tif 000195
は、上位階層に設定される。
【０３５２】
一代案（代案７−２）において、
【数１７７】
2021530925.tif 000196
は、固定され、
【数１７８】
2021530925.tif 000197
が固定され、Ｌ∈｛２，４｝は、上位階層に設定される。
【０３５３】
一代案（代案７−３）において、
【数１７９】
2021530925.tif 000198
は、固定され、Ｌ∈｛２，４｝及び
【数１８０】
2021530925.tif 000199
は、上位階層に設定される。
【０３５４】
一代案（代案７−４）において、
【数１８１】
2021530925.tif 000200
は、固定され、Ｌ’＝２が固定され、
【数１８２】
2021530925.tif 000201
は、上位階層に設定される。
【０３５５】
一代案（代案７−５）において、
【数１８３】
2021530925.tif 000202
は、固定され、
【数１８４】
2021530925.tif 000203
が固定され、Ｌ’∈｛２,４｝は、上位階層に設定される。
【０３５６】
一代案（代案７−６）において、
【数１８５】
2021530925.tif 000204
は、固定され、Ｌ’∈｛２,４｝及び
【数１８６】
2021530925.tif 000205
は、いずれも上位階層に設定される。
【０３５７】
一代案（代案７−７）において、
【数１８７】
2021530925.tif 000206
は、固定され、Ｌ’＝２が固定され、
【数１８８】
2021530925.tif 000207
は、上位階層に設定される。
【０３５８】
一代案（代案７−８）において、
【数１８９】
2021530925.tif 000208
は、固定され、Ｌ’∈｛２,４｝は、上位階層に設定され、
【数１９０】
2021530925.tif 000209
は、固定される。
【０３５９】
一代案（代案７−９）において、
【数１９１】
2021530925.tif 000210
は、固定され、Ｌ’＝２が固定され、
【数１９２】
2021530925.tif 000211
が固定される。
【０３６０】
一代案（代案７−１０）において、
【数１９３】
2021530925.tif 000212
は、固定され、Ｌ’＝２が固定され、
【数１９４】
2021530925.tif 000213
は、上位階層に設定される。
【０３６１】
一代案（代案７−１１）において、
【数１９５】
2021530925.tif 000214
は、固定され、Ｌ’＝２が固定され、
【数１９６】
2021530925.tif 000215
が固定される。
【０３６２】
そのような代案のうち１を超えるものが支援される場合、それらのうち一つは、設定されるか、あるいはＵＥによって報告される。
【０３６３】
一実施形態７Ａにおいて、ＵＥは、上位階層シグナリングを介し、パラメータ（Ｌ,ｐ）に設定され、このとき、Ｌは、ＳＤベースベクトルの個数を示し、ｐは、ＦＤベースベクトルの個数Ｍを示す（例えば、
【数１９７】
2021530925.tif 000216
であり、ここで、ＮＳＢは、ＳＢの個数であり、Ｎ３は、ＰＭＩ報告のためのＦＤユニットの個数であり、Ｒは、上位階層パラメータである）。ＲＩ∈｛１，２｝であるとき、それぞれの階層ｌ∈｛０，１｝につき、ＳＤベースベクトルの個数は、Ｌと同じであり、ＦＤベースベクトルの個数は、Ｍと同じである。
【０３６４】
ＲＩ∈｛３，４｝であるとき、それぞれの階層ｌ∈｛０，１｝ごとに、ＳＤベースベクトルの個数は、Ｌ０に該当し、ＦＤベースベクトルの個数は、Ｍ０（または、ｐ０）に該当し、それぞれの階層ｌ∈｛２，３｝ごとに、ＳＤベースベクトルの個数は、Ｌ１に該当し、ＦＤベクトルの個数は、Ｍ１（または、ｐ１）に該当する。
【０３６５】
ここで、ｋ∈｛０，１｝, Ｌｋ,Ｌ’ｋ≦Ｌ ａｎｄ ｐｋ,ｐ’ｋ≦ｐ（ｏｒ Ｍｋ,Ｍ’ｋ≦Ｍ）である。パラメータ（Ｌ０,Ｌ１）及び（ｐ０,ｐ１）のいくつかの例が表１５に見られる。Ｌ＝４につき、以下の代案のうち少なくとも一つが使用される。
【０３６６】
代案７Ａ−０の一例において、（Ｌ０,Ｌ１）組み合わせを示すＩに係わる３つの全ての値が支援される。支援される組み合わせのうち一つが設定されるか、あるいはＵＥによって報告される。
【０３６７】
代案７Ａ−１の一例において、（Ｌ０,Ｌ１）組み合わせを示すＩに係わる３つの値のうち二つが支援される（例えば、Ｉ＝１、２）。２つの支援される組み合わせのうち一つは、設定されるか、あるいはＵＥによって報告される。
【０３６８】
代案７Ａ−２の一例において、（Ｌ０,Ｌ１）組み合わせを示すＩに係わる３つの値のうち１個だけが支援される（例えば、Ｉ＝１）。
【０３６９】
同様に、ｐ＝１／２につき、以下の代案のうち少なくとも一つが使用される。
【０３７０】
代案７Ａ−３の一例において、（ｐ０,ｐ１）組み合わせを示すＪに係わる３つの全ての値が支援される。支援される組み合わせのうち一つが設定されるか、あるいはＵＥによって報告される。
【０３７１】
代案７Ａ−４の一例において、（ｐ０,ｐ１）組み合わせを示すＪに係わる３つの値のうち二つが支援される（例えば、Ｊ＝１、２）。２つの支援される組み合わせのうち一つは、設定されるか、あるいはＵＥによって報告される。
【０３７２】
代案７Ａ−５の一例において、（ｐ０,ｐ１）組み合わせを示すＪに係わる３つの値のうち１個だけが支援される（例えば、Ｊ＝１）。
【０３７３】
Ｉ及びＪのいずれもが設定されるとき、Ｉ及びＪは、いずれも（２つの別途の設定パラメータを使用する）、別々に、または（１つの設定パラメータを使用する）共同で設定される。同様に、Ｉ及びＪのいずれもがＵＥによって報告されるとき、Ｉ及びＪは、いずれも（２つの別途のＣＳＩ報告パラメータを使用する）、別々に、または（１つのＣＳＩ報告パラメータを使用する）共同で報告される。
【０３７４】
【表１５】
2021530925.tif 000217
【０３７５】
一実施形態７において、ＵＥは、上位階層シグナリングを介し、パラメータ（Ｌ，ｐ）に設定され、このとき、Ｌは、ＳＤベースベクトルの個数を示し、ｐは、ＦＤベースベクトルの個数Ｍを示す（例えば、
【数１９８】
2021530925.tif 000218
であり、ここで、ＮＳＢは、ＳＢの個数であり、Ｎ３は、ＰＭＩ報告のためのＦＤユニットの個数であり、Ｒは、上位階層パラメータである）。ＲＩ∈｛１,２｝／であるとき、それぞれの階層ｌ∈０,１につき、ＳＤベースベクトルの個数は、Ｌと同じであり、ＦＤベースベクトルの個数は、Ｍと同じである。
【０３７６】
ＲＩ＝３であるとき、それぞれの階層ｌ∈０,１につき、ＳＤベースベクトルの個数は、Ｌ０に該当し、ＦＤベースベクトルの個数は、Ｍ０（または、ｐ０）に該当し、それぞれの階層ｌ＝２ごとにＳＤベースベクトルの個数は、Ｌ１に該当し、ＦＤベースベクトルの個数は、Ｌ１に該当し、ＦＤベースベクトルの個数は、Ｍ１（または、ｐ’１）である。
【０３７７】
ＲＩ＝４であるとき、それぞれの階層ｌ∈０,１につき、ＳＤベースベクトルの個数は、Ｌ’０に該当し、ＦＤベースベクトルの個数は、Ｍ’０（または、ｐ’０）に該当し、それぞれの階層ｌ∈｛２,３｝ごとにＳＤベースベクトルの個数は、Ｌ’１に該当し、ＦＤベースベクトルの個数は、Ｌ’１に該当し、ＦＤベースベクトルの個数は、Ｍ’１（または、ｐ’１）である。
【０３７８】
ここで、ｋ∈｛０,１｝につき、Ｌｋ,Ｌ’ｋ≦Ｌ ａｎｄ ｐｋ,ｐ’ｋ≦ｐ（ｏｒ Ｍｋ,Ｍ’ｋ≦Ｍ）である。パラメータ（Ｌ０，Ｌ１）及び（ｐ０，ｐ１）のいくつかの例が表１５に見られる。パラメータ（Ｌ’０，Ｌ’１）及び（ｐ’０，ｐ’１）のいくつかの例が表１６に見られる。
【０３７９】
ＲＩ＝３につき、（Ｌ０，Ｌ１）及び（ｐ０，ｐ１）に係わる残り細部事項（設定／報告）は、実施形態７Ａにおけるところと同一である。ＲＩ＝３につき、Ｌ＝４であるとき、以下の代案のうち少なくとも一つが使用される。
【０３８０】
代案７Ｂ−０の一例において、（Ｌ’０，Ｌ’１）組み合わせを示すＩ’に係わる３つの全ての値が支援される。支援される組み合わせのうち一つが設定されるか、あるいはＵＥによって報告される。
【０３８１】
代案７Ｂ−１の一例において、（Ｌ’０，Ｌ’１）組み合わせを示すＩ’に係わる３つの値のうち二つが支援される（例えば、Ｉ’＝１、２）。２つの支援される組み合わせのうち一つは、設定されるか、あるいはＵＥによって報告される。
【０３８２】
代案７Ｂ−２の一例において、（Ｌ’０，Ｌ’１）組み合わせを示すＩ’に係わる３つの値のうち１個だけが支援される（例えば、Ｉ’＝１）。
【０３８３】
同様に、ｐ＝１／２につき、以下の代案のうち少なくとも一つが使用される。
【０３８４】
代案７Ｂ−３の一例において、（ｐ’０，ｐ’１）組み合わせを示すＪ’に係わる３つの全ての値が支援される。支援される組み合わせのうち一つが設定されるか、あるいはＵＥによって報告される。
【０３８５】
代案７Ｂ−４の一例において、（ｐ’０，ｐ’１）組み合わせを示すＪ’に係わる３つの値のうち二つが支援される（例えば、Ｊ’＝１、２）。支援される組み合わせのうち一つが設定されるか、あるいはＵＥによって報告される。２つの支援される組み合わせのうち一つは、設定されるか、あるいはＵＥによって報告される。
【０３８６】
代案７Ｂ−５の一例において、（ｐ’０，ｐ’１）組み合わせを示すＪ’に係わる３つの値のうち１個だけが支援される（例えば、Ｊ’＝１）。
【０３８７】
Ｉ’及びＪ’がいずれも設定されるとき、Ｉ’及びＪ’は、いずれも（２つの別途の設定パラメータを使用する）別々に、または（１つの設定パラメータを使用する）共同で設定される。同様に、Ｉ’及びＪ’がいずれもＵＥによって報告されるとき、Ｉ’及びＪ’は、いずれもは（２つの別途のＣＳＩ報告パラメータを使用する）別々に、または（１つのＣＳＩ報告パラメータを使用する）共同で報告される。
【０３８８】
【表１６】
2021530925.tif 000219
【０３８９】
以下の代案のうち少なくとも一つが（Ｉ，Ｉ’）及び（Ｊ，Ｊ’）に使用される。代案７Ｂ−６の一例において、Ｉ＝Ｉ’、Ｊ＝Ｊ’である。代案７Ｂ−７の他の例において、Ｉ＝Ｉ’、Ｊ≠Ｊ’である。代案７Ｂ−８のさらに他の例において、Ｉ≠Ｉ’、Ｊ＝Ｊ’である。代案７Ｂ−９のさらに他の例において、Ｉ≠Ｉ’、Ｊ≠Ｊ’である。
【０３９０】
Ｉ及びＩ’がいずれも設定されるとき、Ｉ及びＩ’は、いずれも（２つの別途の設定パラメータを使用する）、別々に、または（１つの設定パラメータを使用する）共同で設定される。同様に、Ｉ及びＩ’がいずれもＵＥによって報告されるとき、Ｉ及びＩ’は、いずれも（２つの別途のＣＳＩ報告パラメータを使用する）、別々に、または（１つのＣＳＩ報告パラメータを使用する）共同で報告される。
【０３９１】
Ｊ及びＪ’がいずれも設定されるとき、Ｊ及びＪ’は、いずれも（２つの別途の設定パラメータを使用する）、別々に、または（１つの設定パラメータを使用する）共同で設定される。同様に、Ｊ及びＪ’がいずれもＵＥによって報告されるとき、Ｊ及びＪ’は、いずれも（２つの別途のＣＳＩ報告パラメータを使用する）、別々に、または（１つのＣＳＩ報告パラメータを使用する）共同で報告される。
【０３９２】
（Ｉ，Ｉ’）及び（Ｊ，Ｊ’）がいずれも設定されるとき、（Ｉ，Ｉ’）及び（Ｊ，Ｊ’）は、いずれも（２つの別途の設定パラメータを使用する）、別々に、または（１つの設定パラメータを使用する）共同で設定される。同様に、（Ｉ，Ｉ’）及び（Ｊ，Ｊ’）がいずれもＵＥによって報告されるとき、（Ｉ，Ｉ’）及び（Ｊ，Ｊ’）は、いずれも（２つの別途のＣＳＩ報告パラメータを使用する）、別々に、または（１つのＣＳＩ報告パラメータを使用する）共同で報告される。
【０３９３】
図１５は、本開示の実施形態によるツーステップ（two−step）ベース選択に係わる図面１５００を図示する。図１５に図示されたツーステップベース選択の実施形態は、ただ例示のためのものである。図１５は、ある特定具現例であり、本開示の範囲を限定するものではない。
【０３９４】
図１５に図示されているように、第１ステップにおいて、ＵＥ １１６は、Ｎ’がＮより小さいするとき、Ｎ個のベースの全体ベース集合から、Ｎ’個のＤＦＴベースを含む中間ベース集合（ＩｎＳ）を選択する。そのようなＮ’個のＤＦＴベースは、複数のｖ階層間において共通するものであり、ｖは、ランク値（すなわち、ＲＩ）である。第２ステップにおいて、ＵＥ １１６は、階層ごとのベース部分集合を選択し、その部分集合の個数は、Ｍｌであり、ｌ＝０、１、…、ＲＩ−１であり、Ｍｌは、Ｎ’より小さい。そのような階層ごとのベース部分集合は、ＩｎＳに含まれたベースのうちから選択される。その後、ＵＥ １１６は、ＩｎＳのうちから選択されたベースのインデックスと、階層当たりベース部分集合それぞれから選択されたベースのインデックスとをいずれも（例えば、ＣＳＩ報告のためのＰＭＩを介して）報告することができる。そのようなツーステップベース選択により、ＵＥ １１６がツーステップ選択プロセスを遂行し、全体ＤＦＴベース集合から、ベースのインデックスを報告する必要なしに、ＩｎＳから報告するように、ベースのインデックスを決定するという点において、ＵＥ １１６は、高解像度ＣＳＩ報告のために要求されうるオーバーヘッドシグナリングの量を減らすことができる。
【０３９５】
図１６は、本開示の一実施形態により、ＵＥを動作させる方法（１６００）フローチャートを図示する。図１６に図示された方法（１６００）の実施形態は、ただ例示のためのものである。図１６は、ある特定具現例であり、本開示の範囲を限定するものではない。該方法（１６００）は、前述の図１５で論議されたツーステップベース選択プロセスに係わるＵＥ具現例でもある。該方法（１６００）は、ＵＥ １１６のようなＵＥや、ここで論議された他のいかなるＵＥによっても遂行される。
【０３９６】
該方法（１６００）は、ＵＥ １１６が、複数のｖ階層間で共通するＮ’個のベースを含む中間ベース集合を選択する段階（段階１６０５）から始める。例えば、段階１６０５において、ＵＥ １１６は、複数のｖ階層につき、Ｎ個のベースを含む全体ベース集合から選択することができる。全体ベース集合は、ＤＦＴベクトルの集合｛ｗｒ＋ｎＯ：ｎ∈｛０,１,...,(Ｎ−１)｝｝でもあり、ここで、Ｏは、ＤＦＴベクトルの集合に係わるオーバーサンプリングファクタであり、ｒ∈｛０,１,..,Ｏ−１｝は、ＤＦＴベクトルの集合内第１ＤＦＴベクトルのインデックスであり、
【数１９９】
2021530925.tif 000220
は、１つのＤＦＴベクトルである。Ｎ及びＮ’は、正の整数であり、Ｎ＜Ｎ’であり、ｖは、ランク値である。ＵＥ １１６は、多数の方式により、中間ベース集合に含むベースの個数Ｎ’（すなわち、Ｎ’の値）を決定することができる。例えば、ＵＥ １１６は、ＢＳからトランシーバが受信する上位階層シグナリングに基づき、Ｎ’の値を決定することができる。他の例において、Ｎ’の値は、所定設定によって固定される。他の例において、ＵＥは、ｎ’の値に係わる情報を決定し、かつ／またはＢＳに伝送することができる。この段階の一部として、中間ベース集合のＮ’個ベースは、ｖ階層のうち少なくとも一つにつき、共通的しているか、あるいはそれに対して含まれる。
【０３９７】
ＵＥ １１６は、選択された中間ベース集合において、複数のｖ階層のそれぞれの階層ｌにつき、Ｍｌ個のベースを含むベース部分集合を選択する（段階１６１０）。例えば、段階１６１０において、ＵＥ １１６は、前述のところで選択された中間ベース集合内に含まれたベースから、階層０から階層（ｖ−１）までであるｖ階層それぞれに係わるベースを選択する。Ｍｌは、正の整数であり、Ｍｌ＜Ｎ’であり；ｌ＝０、１、…、ｖ−１である。
【０３９８】
その後、ＵＥ １１６は、選択された中間ベース集合に含まれるＮ’個のベースのインデックス、及び選択されたベース部分集合内に含まれるＭｌ個のベースのインデックスをＢＳ（例えば、ＢＳ １０２）に伝送する（段階１６１５）。例えば、段階１６１５において、ＵＥ １１６は、全ての選択されたベースのインデックスを、ＢＳ １０２に報告することができる。一実施形態において、この段階として、ＵＥ １１６は、先立って決定されたＣＳＩ報告をＢＳに伝送することができ、そのようなＣＳＩ報告は、ランク値を示すＲＩ、並びに選択された中間ベース集合内に含まれたＮ’個のベースのインデックス、及び選択されたベース部分集合に含まれたＭｌ個のベースのインデックスを示すＰＭＩを含む。
【０３９９】
前述のところのように、ＢＳ １０２が、ＵＥ １１６から、インデックス及び／またはＣＳＩ報告を受信し、中間ベース集合に含まれたＮ’個のベースの受信されたインデックス、及びベース部分集合内に含まれたＭｌ個のベースの受信されたインデックスに基づき、複数のｖ階層のそれぞれの階層ｌにつき、Ｍｌ個のベースを決定するという点において、相互的（reciprocal）プロセスを遂行することができる。そのようなプロセスにより、ＵＥ １１６がツーステップ選択プロセスを遂行し、全体ベース集合から、ベースのインデックスを報告する必要なしに、ＩｎＳから報告するように、ベースのインデックスを決定するという点において、ＵＥ １１６は、ＣＳＩ報告のために要求されるオーバーヘッドシグナリングの量を減らすことができる。
【０４００】
本開示は、例示的な実施形態と共に記述されたが、当業者に、多様な変更及び修正案が提案されうる。本開示は、そのような変更及び修正が、特許請求の範囲中に入ることによって包括するようになっている。
【０４０１】
本出願の内容は、ある特定要素、段階または機能が、特許請求の範囲に含まれなければならない必須構成要素を意味すると把握されるものではない。本開示の特許範囲は、ただ特許請求の範囲によってのみ限定される。
【符号の説明】
【０４０２】
130  インターネット
210a  ＲＦトランシーバ
210b  ＲＦトランシーバ
210n  ＲＦトランシーバ
215  ＴＸプロセッシング回路
220  ＲＸプロセッシング回路
225  コントローラ／プロセッサ
230  メモリ
235  バックホール／ネットワークインターフェース
310  ＲＦトランシーバ
315  ＴＸプロセッシング回路
320  マイクロフォン
325  ＲＸプロセッシング回路
330  スピーカ
340  プロセッサ
350  タッチスクリーン
355  ディスプレイ
360  メモリ
361  オペレーションシステム
362  アプリケーション
【図１】
2021530925.tif 000223
【図２】
2021530925.tif 000224
【図３】
2021530925.tif 000225
【図４Ａ】
2021530925.tif 000226
【図４Ｂ】
2021530925.tif 000227
【図５】
2021530925.tif 000228
【図６】
2021530925.tif 000229
【図７】
2021530925.tif 000230
【図８】
2021530925.tif 000231
【図９】
2021530925.tif 000232
【図１０】
2021530925.tif 000233
【図１１】
2021530925.tif 000234
【図１２】
2021530925.tif 000235
【図１３】
2021530925.tif 000236
【図１４】
2021530925.tif 000237
【図１５】
2021530925.tif 000238
【図１６】
2021530925.tif 000239
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
端末において、
送受信部と、
プロセッサとを含み、
前記プロセッサは、
コードブックタイプを示すＣＳＩ（channel station information）レポートについての情報を含む構成情報を、前記送受信部を介して受信し、
Ｎ個のベースベクトルを含むフルベースセットに基づき、複数のレイヤのためのＮ’個のベースベクトルを含む中間（intermediate）ベースセットを識別し、
前記中間ベースセットに基づき、複数のレイヤのうちレイヤｌのためのＭｌ個のベースベクトルを含むベースサブセットを識別し、
前記中間ベースセットに含まれたＮ’個のベースベクトル、及び前記ベースサブセットに含まれたＭｌ個のベースベクトルに係わるＰＭＩ（precoding matrix indicator）を含むＣＳＩレポートを、前記送受信部を介して基地局に送信する、端末。
【請求項２】
前記ＰＭＩは、前記中間ベースセットに含まれたＮ’個のベースベクトルのインデックスを示す指示子を含む、請求項１に記載の端末。
【請求項３】
前記ＰＭＩは、前記ベースサブセットに含まれたＭｌ個のベースベクトルのインデックスを示す指示子を含む、請求項１に記載の端末。
【請求項４】
前記ベースサブセットのＭｌの値は、前記基地局から受信された構成情報に基づいて決定される、請求項１に記載の端末。
【請求項５】
前記コードブックタイプは、前記構成情報に基づき、タイプ２に設定される、請求項１に記載の端末。
【請求項６】
基地局において、
送受信部と、
プロセッサとを含み、
前記プロセッサは、
コードブックタイプを示すＣＳＩ（channel station information）レポートについての情報を含む構成情報を、前記送受信部を介して端末に送信し、
中間（intermediate）ベースセットに含まれたＮ’個のベースベクトル、及びベースサブセットに含まれたＭｌ個のベースベクトルに係わるＰＭＩ（precoding matrix indicator）を含むＣＳＩレポートを、前記送受信部を介して、前記端末から受信し、
Ｎ個のベースベクトルを含むフルベースセットに基づき、複数のレイヤのためのＮ’個のベースベクトルを含む前記中間ベースセットが識別され、
前記中間ベースセットに基づき、前記複数のレイヤのうちレイヤｌのためのＭｌ個のベースベクトルを含む前記ベースサブセットが識別される、基地局。
【請求項７】
前記ＰＭＩは、前記中間ベースセットに含まれたＮ’個のベースベクトルのインデックスを示す指示子を含む、請求項６に記載の基地局。
【請求項８】
前記ＰＭＩは、前記ベースサブセットに含まれたＭｌ個のベースベクトルのインデックスを示す指示子を含む、請求項６に記載の基地局。
【請求項９】
前記ベースサブセットのＭｌの値は、前記構成情報に基づいて決定される、請求項６に記載の基地局。
【請求項１０】
端末が通信を行う方法において、
コードブックタイプを示すＣＳＩ（channel station information）レポートについての情報を含む構成情報を受信する段階と、
Ｎ個のベースベクトルを含むフルベースセットに基づき、複数のレイヤのためのＮ’個のベースベクトルを含む中間（intermediate）ベースセットを識別する段階と、
前記中間ベースセットに基づき、複数のレイヤのうちレイヤｌのためのＭｌ個のベースベクトルを含むベースサブセットを識別する段階と、
前記中間ベースセットに含まれたＮ’個のベースベクトル、及び前記ベースサブセットに含まれたＭｌ個のベースベクトルに係わるＰＭＩ（precoding matrix indicator）を含むＣＳＩレポートを基地局に送信する段階と、を含む、方法。
【請求項１１】
前記ＰＭＩは、前記中間ベースセットに含まれたＮ’個のベースベクトルのインデックスを示す指示子を含む、請求項１０に記載の方法。
【請求項１２】
前記ＰＭＩは、前記ベースサブセットに含まれたＭｌ個のベースベクトルのインデックスを示す指示子を含む、請求項１０に記載の方法。
【請求項１３】
基地局が通信を行う方法において、
コードブックタイプを示すＣＳＩ（channel station information）レポートに係わる情報を含む構成情報を端末に送信する段階と、
中間（intermediate）ベースセットに含まれたＮ’個のベースベクトル、及びベースサブセットに含まれたＭｌ個のベースベクトルに係わるＰＭＩ（precoding matrix indicator）を含むＣＳＩレポートを、前記端末から受信する段階と、を含み、
Ｎ個のベースベクトルを含むフルベースセットに基づき、複数のレイヤのためのＮ’個のベースベクトルを含む前記中間ベースセットが識別され、
前記中間ベースセットに基づき、前記複数のレイヤのうちレイヤｌのためのＭｌ個のベースベクトルを含む前記ベースサブセットが識別される、方法。
【請求項１４】
前記ＰＭＩは、前記中間ベースセットに含まれたＮ’個のベースベクトルのインデックスを示す指示子を含む、請求項１３に記載の方法。
【請求項１５】
前記ＰＭＩは、前記ベースサブセットに含まれたＭｌ個のベースベクトルのインデックスを示す指示子を含む、請求項１３に記載の方法。
【国際調査報告】
2021530925.tif 000240
2021530925.tif 000241